(57)【特許請求の範囲】
【請求項１】
アクセス端末のハンドオーバのためのメッセージを受信することと、前記メッセージは複数のセル識別子を含み、前記複数のセル識別子によって識別された少なくとも１つのアクセスポイントを含むワイヤレスネットワークのエリアに関連するいかなるアクセスポイントによってもパイロットスクランブリング使用のために現在割り振られていない少なくとも１つのパイロットシグナチャを含む、
複数のアクセスポイントのためのセル識別子マッピングを決定することと、前記マッピングは、前記複数のアクセスポイントのそれぞれに少なくとも２つのセル識別子をマッピングし、
前記マッピングと前記メッセージ中に含まれる前記複数のセル識別子とに基づいて、前記ハンドオーバのためのターゲットとして前記複数のアクセスポイントのうちの１つを識別することと、
を備える通信の方法。
【請求項２】
前記エリアはモバイル交換センターに関連する、請求項１記載の方法。
【請求項３】
前記ハンドオーバのための前記ターゲットは、前記メッセージ中に含まれる前記複数のセル識別子から識別されるべきであると決定すること、をさらに備え、前記決定は、前記メッセージ中に含まれる前記複数のセル識別子のうちの１つのセル識別子の値に基づく、請求項１記載の方法。
【請求項４】
前記値は、前記１つのセル識別子は、ワイヤレスネットワークのエリアに関連するいかなるアクセスポイントによってもパイロットスクランブリング使用のために現在割り振られていないパイロットシグナチャに関連することを示す、請求項３記載の方法。
【請求項５】
前記値は、前記１つのセル識別子がフェムトセルに関連することを示す、請求項３記載の方法。
【請求項６】
前記メッセージは、前記セル識別子に関連するパイロット信号強度情報をさらに含み、
前記識別は前記パイロット信号強度情報にさらに基づく、請求項１記載の方法。
【請求項７】
前記識別は、フェムトコンバージェンスサーバまたはフェムトセルゲートウェイにおいて実行される、請求項１記載の方法。
【請求項８】
アクセス端末のハンドオーバのためのメッセージを受信するように構成された受信機と、前記メッセージは複数のセル識別子を含み、前記複数のセル識別子によって識別された少なくとも１つのアクセスポイントを含むワイヤレスネットワークのエリアに関連するいかなるアクセスポイントによってもパイロットスクランブリング使用のために現在割り振られていない少なくとも１つのパイロットシグナチャを含む、
複数のアクセスポイントのためのセル識別子マッピングを決定するように構成されたハンドオーバコントローラと、
を備え、
前記マッピングは、前記複数のアクセスポイントのそれぞれに少なくとも２つのセル識別子をマッピングし、
前記ハンドオーバコントローラは、さらに、前記マッピングと前記メッセージ中に含まれる前記複数のセル識別子とに基づいて、前記ハンドオーバのためのターゲットとして前記複数のアクセスポイントのうちの１つを識別するように構成される、
通信のための装置。
【請求項９】
前記ハンドオーバコントローラは、さらに、前記ハンドオーバのための前記ターゲットが、前記メッセージ中に含まれる前記複数のセル識別子から識別されるべきであると決定するように構成され、
前記決定は、前記メッセージ中に含まれる前記複数のセル識別子のうちの１つのセル識別子の値に基づく、請求項８記載の装置。
【請求項１０】
アクセス端末のハンドオーバのためのメッセージを受信する手段と、前記メッセージは複数のセル識別子を含み、前記複数のセル識別子によって識別された少なくとも１つのアクセスポイントを含むワイヤレスネットワークのエリアに関連するいかなるアクセスポイントによってもパイロットスクランブリング使用のために現在割り振られていない少なくとも１つのパイロットシグナチャを含む、
複数のアクセスポイントのためのセル識別子マッピングを決定する手段と、前記マッピングは、前記複数のアクセスポイントのそれぞれに少なくとも２つのセル識別子をマッピングし、
前記マッピングと前記メッセージ中に含まれる前記複数のセル識別子とに基づいて、前記ハンドオーバのためのターゲットとして前記複数のアクセスポイントのうちの１つを識別する手段と、
を備える通信のための装置。
【請求項１１】
前記ハンドオーバのための前記ターゲットは、前記メッセージ中に含まれる前記複数のセル識別子から識別されるべきであると決定する手段、をさらに備え、前記決定は、前記メッセージ中に含まれる前記複数のセル識別子のうちの１つのセル識別子の値に基づく、請求項１０記載の装置。
【請求項１２】
コンピュータに、
アクセス端末のハンドオーバのためのメッセージを受信することと、前記メッセージは複数のセル識別子を含み、前記複数のセル識別子によって識別された少なくとも１つのアクセスポイントを含むワイヤレスネットワークのエリアに関連するいかなるアクセスポイントによってもパイロットスクランブリング使用のために現在割り振られていない少なくとも１つのパイロットシグナチャを含み、
複数のアクセスポイントのためのセル識別子マッピングを決定することと、前記マッピングは、前記複数のアクセスポイントのそれぞれに少なくとも２つのセル識別子をマッピングし、
前記マッピングと前記メッセージ中に含まれる前記複数のセル識別子とに基づいて、前記ハンドオーバのためのターゲットとして前記複数のアクセスポイントのうちの１つを識別することと、
を行わせるためのコードを備えるコンピュータプログラム。
【請求項１３】
前記コンピュータに、前記ハンドオーバのための前記ターゲットが、前記メッセージ中に含まれる前記複数のセル識別子から識別されるべきであると決定させるためのコードをさらに備え、
前記決定は、前記メッセージ中に含まれる前記複数のセル識別子のうちの１つのセル識別子の値に基づく、
請求項１２記載のコンピュータプログラム。
【請求項１４】
アクセス端末のハンドオーバのためのメッセージを受信することと、前記メッセージは複数のパイロットシグナチャインジケータを含み、
複数のアクセスポイントのためのパイロットシグナチャインジケータマッピングを決定することと、前記マッピングは、前記複数のアクセスポイントのそれぞれに少なくとも２つのパイロットシグナチャインジケータをマッピングし、
前記マッピングと前記メッセージ中に含まれる前記複数のパイロットシグナチャインジケータとに基づいて、前記ハンドオーバのためのターゲットとして前記複数のアクセスポイントのうちの１つを識別することと、
を備える通信の方法。
【請求項１５】
前記パイロットシグナチャインジケータは擬似ランダム雑音（ＰＮ）位相値を備える、請求項１４記載の方法。
【請求項１６】
前記メッセージ中に含まれる前記複数のパイロットシグナチャインジケータのうちの少なくとも１つは、ワイヤレスネットワークのエリアに関連するいかなるアクセスポイントによってもパイロットスクランブリング使用のために現在割り振られていない少なくとも１つのパイロットシグナチャを示す、請求項１４記載の方法。
【請求項１７】
前記エリアはアクセスネットワークまたはフェムトセルゲートウェイに関連する、請求項１６記載の方法。
【請求項１８】
前記ハンドオーバのための前記ターゲットは、前記メッセージ中に含まれる前記複数のパイロットシグナチャインジケータから識別されるべきであると決定すること、をさらに備え、前記決定は、前記メッセージ中に含まれる前記複数のパイロットシグナチャインジケータのうちの１つのパイロットシグナチャインジケータの値に基づく、請求項１４記載の方法。
【請求項１９】
前記値は、前記１つのパイロットシグナチャインジケータが、ワイヤレスネットワークのエリアに関連するいかなるアクセスポイントによってもパイロットスクランブリング使用のために現在割り振られていないパイロットシグナチャに関連することを示す、請求項１８記載の方法。
【請求項２０】
前記値は、前記１つのパイロットシグナチャインジケータがフェムトセルに関連することを示す、請求項１８記載の方法。
【請求項２１】
前記メッセージは、前記セル識別子に関連するパイロット信号強度情報をさらに含み、
前記識別は前記パイロット信号強度情報にさらに基づく、請求項１４記載の方法。
【請求項２２】
前記識別は、前記ターゲットアクセスネットワークまたはフェムトセルゲートウェイにおいて実行される、請求項１４記載の方法。
【請求項２３】
アクセス端末のハンドオーバのためのメッセージを受信するように構成された受信機と、前記メッセージは複数のパイロットシグナチャインジケータを含み、
複数のアクセスポイントのためのパイロットシグナチャインジケータマッピングを決定するように構成されたハンドオーバコントローラと、
を備え、
前記マッピングは、前記複数のアクセスポイントのそれぞれに少なくとも２つのパイロットシグナチャインジケータマッピングをマッピングし、
前記ハンドオーバコントローラは、さらに、前記マッピングと前記メッセージ中に含まれる前記複数のパイロットシグナチャインジケータとに基づいて、前記ハンドオーバのためのターゲットとして前記アクセスポイントのうちの１つを識別するように構成される、通信のための装置。
【請求項２４】
前記メッセージ中に含まれる前記複数のパイロットシグナチャインジケータのうちの少なくとも１つは、ワイヤレスネットワークのエリアに関連するいかなるアクセスポイントによってもパイロットスクランブリング使用のために現在割り振られていない少なくとも１つのパイロットシグナチャを示す、請求項２３記載の装置。
【請求項２５】
前記ハンドオーバコントローラは、さらに、前記ハンドオーバのための前記ターゲットが、前記メッセージ中に含まれる前記複数のパイロットシグナチャインジケータから識別されるべきであると決定するように構成され、
前記決定は、前記メッセージ中に含まれる前記複数のパイロットシグナチャインジケータのうちの１つのパイロットシグナチャインジケータの値に基づく、請求項２３記載の装置。
【請求項２６】
アクセス端末のハンドオーバのためのメッセージを受信する手段と、前記メッセージは複数のパイロットシグナチャインジケータを含み、
複数のアクセスポイントのためのパイロットシグナチャインジケータマッピングを決定する手段と、前記マッピングは、前記複数のアクセスポイントのそれぞれに少なくとも２つのパイロットシグナチャインジケータをマッピングし、
前記マッピングと前記メッセージ中に含まれる前記複数のパイロットシグナチャインジケータとに基づいて、前記ハンドオーバのためのターゲットとして前記アクセスポイントのうちの１つを識別する手段と、
を備える通信のための装置。
【請求項２７】
前記メッセージ中に含まれる前記複数のパイロットシグナチャインジケータのうちの少なくとも１つは、ワイヤレスネットワークのエリアに関連するいかなるアクセスポイントによってもパイロットスクランブリング使用のために現在割り振られていない少なくとも１つのパイロットシグナチャを示す、請求項２６記載の装置。
【請求項２８】
前記ハンドオーバのための前記ターゲットは、前記メッセージ中に含まれる前記複数のパイロットシグナチャインジケータから識別されるべきであると決定する手段、をさらに備え、前記決定は、前記メッセージ中に含まれる前記複数のパイロットシグナチャインジケータのうちの１つのパイロットシグナチャインジケータの値に基づく、請求項２６記載の装置。
【請求項２９】
コンピュータに、
アクセス端末のハンドオーバのためのメッセージを受信することと、前記メッセージは複数のパイロットシグナチャインジケータを含み、
複数のアクセスポイントのためのパイロットシグナチャインジケータマッピングを決定することと、前記マッピングは、前記複数のアクセスポイントのそれぞれに少なくとも２つのパイロットシグナチャインジケータをマッピングし、
前記マッピングと前記メッセージ中に含まれる前記複数のパイロットシグナチャインジケータとに基づいて、前記ハンドオーバのためのターゲットとして前記複数のアクセスポイントのうちの１つを識別することと、
を行わせるためのコードを備えるコンピュータプログラム。
【請求項３０】
前記メッセージ中に含まれる前記複数のパイロットシグナチャインジケータのうちの少なくとも１つは、ワイヤレスネットワークのエリアに関連するいかなるアクセスポイントによってもパイロットスクランブリング使用のために現在割り振られていない少なくとも１つのパイロットシグナチャを示す、請求項２９記載のコンピュータプログラム。
【請求項３１】
前記コンピュータに、前記ハンドオーバのための前記ターゲットが、前記メッセージ中に含まれる前記複数のパイロットシグナチャインジケータから識別されるべきであると決定させるためのコードをさらに備え、
前記決定は、前記メッセージ中に含まれる前記複数のパイロットシグナチャインジケータのうちの１つのパイロットシグナチャインジケータの値に基づく、請求項２９記載のコンピュータプログラム。
【請求項３２】
アクセスポイントのために複数のパイロットシグナチャインジケータを割り振ることと、
前記アクセスポイントに、前記割り振られたパイロットシグナチャインジケータを含むメッセージを送ることと、
を備える通信の方法。
【請求項３３】
前記パイロットシグナチャインジケータは擬似ランダム雑音（ＰＮ）オフセット値を備える、請求項３２記載の方法。
【請求項３４】
前記パイロットシグナチャインジケータは、少なくとも１つの擬似ランダム雑音（ＰＮ）位相値を備える、請求項３２記載の方法。
【請求項３５】
前記パイロットシグナチャインジケータは、プライマリスクランブリングコード値または物理セル識別子値を備える、請求項３２記載の方法。
【請求項３６】
前記メッセージは、前記複数のパイロットシグナチャインジケータのうちの少なくとも１つに関連する少なくとも１つのパイロット信号強度指示をさらに含む、請求項３２記載の方法。
【請求項３７】
前記少なくとも１つのパイロット信号強度指示を定義すること、をさらに備える請求項３６記載の方法。
【請求項３８】
前記複数のパイロットシグナチャインジケータのうちの１つは、パイロット信号を送る前記アクセスポイントのために割り振られる、請求項３２記載の方法。
【請求項３９】
前記パイロットシグナチャインジケータは、ハンドオーバのための前記アクセスポイントを識別するために割り振られる、請求項３２記載の方法。
【請求項４０】
２つ以上のパイロットシグナチャインジケータが前記アクセスポイントのために割り振られるべきであると決定すること、をさらに備え、前記決定は前記アクセスポイントのタイプに基づく、請求項３２記載の方法。
【請求項４１】
前記タイプはフェムトセルタイプを備える、請求項４０記載の方法。
【請求項４２】
前記複数のパイロットシグナチャインジケータのうちの少なくとも１つは、ワイヤレスネットワークのエリアに関連するいかなるアクセスポイントによってもパイロットスクランブリング使用のために現在割り振られていない少なくとも１つのパイロットシグナチャを示す、請求項３２記載の方法。
【請求項４３】
利用可能なパイロットシグナチャのセットから非割振りパイロットシグナチャのセットを識別すること、をさらに備え、
前記非割振りパイロットシグナチャのセットは、ワイヤレスネットワークのエリアに関連するいかなるアクセスポイントによってもパイロットスクランブリング使用のために現在割り振られていないパイロットシグナチャを備え、
前記複数のパイロットシグナチャインジケータの前記割振りは、前記非割振りパイロットシグナチャのセットから少なくとも１つのパイロットシグナチャを選択すること、を備える、請求項３２記載の方法。
【請求項４４】
前記アクセスポイントはフェムトセルを備える、請求項３２記載の方法。
【請求項４５】
前記メッセージは、アクセスネットワーク、フェムトコンバージェンスサーバ、およびフェムトゲートウェイからなるグループのうちの少なくとも１つにさらに送信される、請求項３２記載の方法。
【請求項４６】
アクセスポイントのために複数のパイロットシグナチャインジケータを割り振るように構成されたパイロットプロセッサと、
前記アクセスポイントに、前記割り振られた複数のパイロットシグナチャインジケータを含むメッセージを送るように構成された送信機と、
を備える通信のための装置。
【請求項４７】
前記メッセージは、前記パイロットシグナチャインジケータのうちの少なくとも１つに関連する少なくとも１つのパイロット信号強度指示をさらに含む、請求項４６記載の装置。
【請求項４８】
前記パイロットプロセッサは、さらに、２つ以上のパイロットシグナチャインジケータが前記アクセスポイントのために割り振られるべきであると決定するように構成され、
前記決定は前記アクセスポイントのタイプに基づく、請求項４６記載の装置。
【請求項４９】
前記複数のパイロットシグナチャインジケータのうちの少なくとも１つは、ワイヤレスネットワークのエリアに関連するいかなるアクセスポイントによってもパイロットスクランブリング使用のために現在割り振られていない少なくとも１つのパイロットシグナチャを示す、請求項４６記載の装置。
【請求項５０】
アクセスポイントのために複数のパイロットシグナチャインジケータを割り振る手段と、
前記アクセスポイントに、前記割り振られたパイロットシグナチャインジケータを含むメッセージを送る手段と、
を備える通信のための装置。
【請求項５１】
前記メッセージは、前記複数のパイロットシグナチャインジケータのうちの少なくとも１つに関連する少なくとも１つのパイロット信号強度指示をさらに含む、請求項５０記載の装置。
【請求項５２】
２つ以上のパイロットシグナチャインジケータが前記アクセスポイントのために割り振られるべきであると決定する手段、をさらに備え、前記決定は前記アクセスポイントのタイプに基づく、請求項５０記載の装置。
【請求項５３】
前記複数のパイロットシグナチャインジケータのうちの少なくとも１つは、ワイヤレスネットワークのエリアに関連するいかなるアクセスポイントによってもパイロットスクランブリング使用のために現在割り振られていない少なくとも１つのパイロットシグナチャを示す、請求項５０記載の装置。
【請求項５４】
コンピュータに、
アクセスポイントのために複数のパイロットシグナチャインジケータを割り振ることと、
前記アクセスポイントに、前記割り振られたパイロットシグナチャインジケータを含むメッセージを送ることと、
を行わせるためのコードを備えるコンピュータプログラム。
【請求項５５】
前記メッセージは、前記複数のパイロットシグナチャインジケータのうちの少なくとも１つに関連する少なくとも１つのパイロット信号強度指示をさらに含む、請求項５４記載のコンピュータプログラム。
【請求項５６】
前記コンピュータに、２つ以上のパイロットシグナチャインジケータが前記アクセスポイントのために割り振られるべきであると決定させるためのコードをさらに備え、
前記決定は前記アクセスポイントのタイプに基づく、請求項５４記載のコンピュータプログラム。
【請求項５７】
前記パイロットシグナチャインジケータのうちの少なくとも１つは、ワイヤレスネットワークのエリアに関連するいかなるアクセスポイントによってもパイロットスクランブリング使用のために現在割り振られていない少なくとも１つのパイロットシグナチャを示す、請求項５４記載のコンピュータプログラム。
【発明の詳細な説明】
【優先権の主張】
【０００１】
本願は、２００９年８月５日に出願され、代理人整理番号第０９３１６５Ｐ１号の付与された、同一人所有の米国仮出願第６１／２３１，６３５号の利益および優先権を主張し、その開示が参照により本明細書に組み込まれる。
【技術分野】
【０００２】
本願は、一般に通信に関し、より詳細には、限定はしないが、アクセスポイントを識別するための複数のパイロットシグナチャインジケータの使用に関する。
【背景技術】
【０００３】
序論
ワイヤレス通信ネットワークは、地理的エリア内のユーザに様々なタイプのサービス（たとえば、ボイス、データ、マルチメディアサービスなど）を提供するために、その地理的エリアにわたって展開され得る。典型的な実装形態では、ネットワークによってサービスされる地理的エリア内で動作しているアクセス端末（たとえば、セルフォン）にワイヤレス接続性を与えるために、アクセスポイント（たとえば、マクロセルカバレージを与えるマクロアクセスポイント）がネットワーク全体にわたって分散される。
【０００４】
高速なマルチメディアデータサービスの需要が急速に増大するにつれて、向上したパフォーマンスをもつ効率的でロバストな通信システムを実装することが課題となっている。従来のネットワークアクセスポイント（たとえば、マクロアクセスポイント）を補うために、アクセス端末によりロバストな屋内ワイヤレスカバレージまたは他のカバレージを与えるために、小カバレージアクセスポイントが配置される（たとえば、ユーザ宅に設置される）。そのような小カバレージアクセスポイントは、たとえば、フェムトアクセスポイント、フェムトセル、ホームノードＢ、ホームｅノードＢ、またはアクセスポイント基地局と呼ばれることがある。一般に、そのような小カバレージアクセスポイントは、ＤＳＬルータまたはケーブルモデムを介してインターネットおよびモバイル事業者のネットワークに接続される。
【０００５】
アクセス端末は、ネットワークに関連する地理的エリア全体にわたってローミングする際、そのサービングアクセスポイントから離れ、別のアクセスポイントに近づくことがある。したがって、アクセス端末が特定のアクセスポイントに近接したとき、そのアクセスポイントがより良い無線周波数（ＲＦ）カバレージおよび／または追加のサービスを与える場合に、アクセス端末をその特定のアクセスポイントにハンドオーバ（すなわち、アイドルまたはアクティブハンドオーバ）することが所望される。
【０００６】
そのようなハンドオーバを可能にするために、ネットワーク中のアクセス端末は、潜在的なターゲットアクセスポイントを識別するために近くのアクセスポイントからのパイロット信号を定期的に監視する。この監視を可能にするために、各アクセスポイントは、ユニークな擬似ランダム雑音（ＰＮ）拡散コードをもつパイロット信号を送信する。ネットワーク中の異なるアクセスポイントは、（たとえば、ｃｄｍａ２０００ネットワークの場合）ＰＮオフセットと通常呼ばれる異なる位相オフセットをもつ既知のパイロット拡散コード（時々スクランブリングコードとも知られる）を使用し得る。したがって、アクセスポイントが、そのアクセスポイントによって使用されるＰＮオフセットに基づいて識別され得る。従来のマクロネットワークでは、２つのセル間のアクセス端末のハンドオーバのためのターゲットアクセスポイントは、アクセス端末によって送られる順方向リンク（ＦＬ）パイロット報告に基づいて識別される。そのような報告は、たとえば、パイロット強度測定メッセージ（ＰＳＭＭ）と呼ばれるか、または（ＣＤＭＡ高速パケットデータ技術では）ルート更新（Root Update）とも呼ばれることがある。パイロット報告は、近隣アクセスポイントのＦＬ信号品質（一般にパイロット強度Ｅｃｐ／Ｉｏ）の指示と、これらのアクセスポイントの各々に関連するパイロット位相とを含む。次いで、報告されたパイロット位相は、特定のアクセスポイントによって使用されるシグナチャ（たとえば、パイロットＰＮオフセット）にマッピングされる。このようにして、他のアクセスポイントが当該シグナチャを使用していないとみなして、所与のパイロット信号を送信したアクセスポイントの識別が決定される。
【０００７】
１つのアクセスポイントから別のアクセスポイントへのアクセス端末の有効なアクティブ（すなわち、接続された）ハンドオーバのために、ネットワークは、ターゲットアクセスポイントを一意に識別することが可能である必要がある。しかしながら、利用可能なＰＮオフセットの数は一般に限定される。場合によっては、利用可能なＰＮオフセットの数は、アクセス端末が近隣ＰＮ信号を探索することを支援するために使用されるネイバーリストのサイズによって限定され得る。ここで、オーバーヘッドを低減し、効率を改善するために、マクロアクセスポイントによって広告される（advertised）ネイバーリスト中のエントリの数を比較的小さい数（たとえば、２０〜４０）に限定することが望ましいことがある。
【０００８】
したがって、比較的大きい数の小カバレージアクセスポイントが同じエリア中に（たとえば、単一のマクロセルのカバレージ内に）配置された場合、これらのアクセスポイントのうちのいくつかがそれらのパイロット信号のために同じＰＮオフセットを使用し得る。したがって、そのようなアクセスポイントへのアクティブハンドオーバのための一意の識別は、ＰＮオフセット混乱のために困難であり得る。詳細には、ネットワーク中のアクセス端末が、それのサービングアクセスポイント（たとえば、ハンドオーバソース）に、所与のＰＮオフセットを有するパイロット信号が受信されたことを報告するとき、どのアクセスポイント（たとえば、どの潜在的なハンドオーバターゲット）が識別されているかに関する混乱が存在し得る。
【０００９】
上記の問題に対処するための従来のソリューションは、モバイル感知方式と、アクセスポイントがセル識別子を広告する方式とを含む。たとえば、モバイル感知方式では、候補ターゲットフェムトセルは、逆方向リンク（ＲＬ）上のアクセス端末から信号を検出し、ネットワークにこの情報を報告するように要求される。次いで、ネットワークは、どのフェムトセルが最良のＦＬ信号を報告したかに基づいてターゲットを識別する。しかしながら、実際には、多数のフェムトセルが展開された場合、そのような方式はスケーラビリティ問題を有することがある。さらに、そのような方式は、ＦＬ／ＲＬ不平衡のために十分なレベルの精度を与えないことがある（たとえば、最も強いＦＬ信号を報告するフェムトセルが、意図されたターゲットでないことがある）。
【００１０】
セル識別子を広告する方式では、フェムトセルは、モバイル交換センター（ＭＳＣ）関係識別子（ＩＯＳ＿ＭＳＣ＿ＩＤ）と、ネットワークにおいてそのフェムトセルを一意に識別するセル関係識別子（ＩＯＳ＿ＣＥＬＬ＿ＩＤ）とを含むアクセスポイント識別メッセージを広告し得る。次いで、アクセス端末は、ハンドオフ補足情報通知メッセージ（handoff supplementary information notification message）を介してネットワークにこの情報を報告し得る。しかしながら、そのような方式は、マクロアクセスポイントがハンドオフ補足情報通知メッセージをサポートするためにアップグレードされることを要求する。さらに、そのような方式はレガシーアクセス端末をサポートしない。上記に鑑みて、ネットワーク中の他のノードがアクセスポイントと効率的に通信することができるように、それらのアクセスポイントを識別するための有効な技法が必要である。
【発明の概要】
【００１１】
本開示の例示的な態様の概要について以下で説明する。本明細書の説明では、態様という用語への言及は、本開示の１つまたは複数の態様を指すことがある。
【００１２】
本開示は、いくつかの態様では、アクセスポイントを識別するための一意のシグナチャを与えるために複数のパイロットシグナチャを使用することに関する。たとえば、アクセスポイントは、特定のパイロットシグナチャに基づいて符号化（たとえば、拡散／スクランブル）されたパイロット信号を送信し、また、（たとえば、少なくとも１つの他のパイロットシグナチャのうちの少なくとも１つの指示を含むメッセージを送信することによって）少なくとも１つの他のパイロットシグナチャを広告し得る。特定の例として、アクセスポイントは、パイロット信号を生成するために１つのＰＮオフセットを使用し、少なくとも１つの他のＰＮオフセットを識別するメッセージを送信する。そして、パイロット信号とメッセージとを受信するアクセス端末が、これらのパイロットシグナチャのすべてを識別するパイロット測定報告を生成する。したがって、パイロット測定報告は、アクセスポイントをより正確に識別するパイロット関係情報（たとえば、ＰＮオフセットの定義されたセット）を与えながら、レガシーネットワークによって扱われ得るレガシーパイロット測定報告の形態をとり得る。このパイロット関係情報を含むハンドオーバメッセージを受信すると、そのアクセスポイントに割り当てられたパイロットシグナチャの知識をもつターゲットネットワークエンティティが、保証されるように、アクセス端末のハンドオーバのためのターゲットとしてアクセスポイントを正確に識別し得る。
【００１３】
本開示は、いくつかの態様では、アクセスポイントと、１つまたは複数のネットワークエンティティとをアクセスポイントを識別するパイロットシグナチャ関係情報で構成することに関する。たとえば、ネットワークエンティティは、複数のパイロットシグナチャインジケータ（たとえば、ＰＮオフセット）を１つのアクセスポイントに割り振る。次いで、ネットワークエンティティは、割り振られたパイロットシグナチャインジケータを含むメッセージをアクセスポイントに送る。ネットワークエンティティはまた、割り振られたパイロットシグナチャインジケータを含むメッセージを、１つまたは複数の他のネットワークエンティティ（たとえば、パイロットシグナチャインジケータに基づいてアクセスポイントを識別する必要があるエンティティ）に送る。
【００１４】
本開示は、いくつかの態様では、複数のパイロットシグナチャを広告するアクセスポイントに関する。たとえば、パイロットシグナチャインジケータの割振りを受信すると、アクセスポイントは、これらのパイロットシグナチャインジケータのうちの１つに基づいて、パイロット信号を送信する。さらに、アクセスポイントは、他の割り振られた（１つまたは複数の）パイロットシグナチャインジケータを含むメッセージを生成し、次いで送信する。
【００１５】
本開示は、いくつかの態様では、１つのアクセスポイントに割り振られたパイロットシグナチャのすべての指示を含むパイロット報告を生成するアクセス端末に関する。たとえば、アクセスポイントによって送信されたパイロット信号とメッセージとを受信すると、アクセス端末は、（１つまたは複数の）受信したパイロットシグナチャインジケータに基づく少なくとも１つの指示と、受信したパイロット信号に関連するパイロットシグナチャに基づく１つの指示とを含むパイロット報告を生成し、次いで送信する。
【００１６】
本開示は、いくつかの態様では、１つのアクセスポイントに割り振られたパイロットシグナチャのすべてを示す受信した情報に基づいて、ハンドオーバターゲットとしてそのアクセスポイントを識別することに関する。たとえば、ネットワークエンティティは、異なるアクセスポイントをセル識別子またはパイロットシグナチャインジケータの異なるセットにマッピングするマッピングを決定（たとえば、取得）する。したがって、複数のセル識別子またはパイロットシグナチャインジケータを含むアクセス端末のためのハンドオーバ関係メッセージを受信すると、ネットワークエンティティは、マッピングと、受信したセル識別子またはパイロットシグナチャインジケータとに基づいて、ハンドオーバターゲットとしてこれらのアクセスポイントのうちの１つを識別する。
【００１７】
本開示のこれらおよび他の例示的な態様について、以下の発明を実施するための形態および添付の特許請求の範囲、ならびに添付の図面において説明する。
【図面の簡単な説明】
【００１８】
【図１】複数のパイロットシグナチャインジケータに基づいてアクセスポイントを識別するように適応された通信システムのいくつかの例示的な態様の簡略ブロック図。
【図２】複数のパイロットシグナチャインジケータに基づいてアクセスポイントを識別することに関連して実行され得る動作のいくつかの例示的な態様のフローチャート。
【図３】複数のパイロットシグナチャインジケータに基づいてアクセスポイントを識別することに関連して実行され得る動作のいくつかの例示的な態様のフローチャート。
【図４】１つのアクセスポイントに割り振られた複数のパイロットシグナチャインジケータに関連する複数のセル識別子に基づいて、該アクセスポイントを識別するように適応された通信システムのいくつかの例示的な態様の簡略ブロック図。
【図５】１つのアクセスポイントに割り振られた複数のパイロットシグナチャインジケータに関連する複数のＰＮ位相に基づいて、該アクセスポイントを識別するように適応された通信システムのいくつかの例示的な態様の簡略ブロック図。
【図６】１つのアクセスポイントについての複数のパイロットシグナチャインジケータを構成することに関連して実行され得る動作のいくつかの例示的な態様のフローチャート。
【図７】１つのアクセスポイントにおいて複数のパイロットシグナチャインジケータを広告することに関連して実行され得る動作のいくつかの例示的な態様のフローチャート。
【図８】１つのアクセスポイントから受信した複数のパイロットシグナチャインジケータに基づいてパイロット報告を与えることに関連して実行され得る動作のいくつかの例示的な態様のフローチャート。
【図９】パイロットシグナチャインジケータベース情報に基づいてターゲットアクセスポイントを識別することに関連して実行され得る動作のいくつかの例示的な態様のフローチャート。
【図１０】複数のパイロットシグナチャインジケータに基づいてアクセスポイントを識別するように適応されたＣＤＭＡ  １ｘ通信システムのいくつかの例示的な態様の簡略ブロック図。
【図１１】複数のパイロットシグナチャインジケータに基づいてアクセスポイントを識別するように適応されたＣＤＭＡ  ＨＲＰＤ通信システムのいくつかの例示的な態様の簡略ブロック図。
【図１２】通信ノードにおいて配置され得る構成要素のいくつかの例示的な態様の簡略ブロック図。
【図１３】ワイヤレス通信システムの簡略図。
【図１４】フェムトノードを含むワイヤレス通信システムの簡略図。
【図１５】ワイヤレス通信のためのカバレージエリアを示す簡略図。
【図１６】通信構成要素のいくつかの例示的な態様の簡略ブロック図。
【図１７】ここに教示する複数のパイロットシグナチャインジケータに基づいて、アクセスポイントを識別することに関係する動作を実行するように構成された装置のいくつかの例示的な態様の簡略ブロック図。
【図１８】ここに教示する複数のパイロットシグナチャインジケータに基づいて、アクセスポイントを識別することに関係する動作を実行するように構成された装置のいくつかの例示的な態様の簡略ブロック図。
【図１９】ここに教示する複数のパイロットシグナチャインジケータに基づいて、アクセスポイントを識別することに関係する動作を実行するように構成された装置のいくつかの例示的な態様の簡略ブロック図。
【図２０】ここに教示する複数のパイロットシグナチャインジケータに基づいて、アクセスポイントを識別することに関係する動作を実行するように構成された装置のいくつかの例示的な態様の簡略ブロック図。
【図２１】ここに教示する複数のパイロットシグナチャインジケータに基づいて、アクセスポイントを識別することに関係する動作を実行するように構成された装置のいくつかの例示的な態様の簡略ブロック図。
【発明を実施するための形態】
【００１９】
慣行に従って、図面中に示された様々な特徴は一定の縮尺で描かれていないことがある。したがって、様々な特徴の寸法は、わかりやすいように任意に拡大または縮小されることがある。さらに、図面のいくつかは、わかりやすいように簡略化されることがある。したがって、図面は、所与の装置（たとえば、デバイス）または方法の構成要素のすべてを示しているわけではない。最後に、明細書および図の全体にわたって同じ特徴を示すために同じ参照番号が使用されることがある。
【００２０】
本開示の様々な態様について以下で説明する。本明細書の教示は多種多様な形態で実施され得、本明細書で開示されている特定の構造、機能、またはその両方は代表的なものにすぎないことは明らかであろう。本明細書の教示に基づいて、本明細書で開示される態様は他の態様とは独立に実装され得ること、およびこれらの態様のうちの２つ以上は様々な方法で組み合わせられ得ることを、当業者なら諒解されたい。たとえば、本明細書に記載の態様をいくつ使用しても、装置を実装し得、または方法を実施し得る。さらに、本明細書に記載の態様のうちの１つまたは複数に加えて、あるいはそれら以外の他の構造、機能、または構造および機能を使用して、そのような装置を実装し得、またはそのような方法を実施し得る。さらに、態様は、請求項の少なくとも１つの要素を備え得る。
【００２１】
図１は、例示的な通信システム１００（たとえば、通信ネットワークの一部）のいくつかのノードを示す。説明のために、本開示の様々な態様について、互いに通信する１つまたは複数のアクセス端末、アクセスポイントおよびネットワークエンティティのコンテキストにおいて説明する。ただし、本明細書の教示は、他のタイプの装置、または他の用語を使用して参照される他の同様の装置に適用可能であることを諒解されたい。たとえば、様々な実装形態では、アクセスポイントを基地局、アクセスネットワーク、ノードＢなどと呼ぶこと、またはそれらなどとして実装し、アクセス端末をユーザ機器、移動局などと呼ぶこと、またはそれらなどとして実装し得る。
【００２２】
システム１００中のアクセスポイントは、１つまたは複数のサービス（たとえば、ネットワーク接続性）を、システム１００のカバレージエリア内に設置され得るか、またはシステム１００のカバレージエリア全体にわたってローミングし得る１つまたは複数のワイヤレス端末（たとえば、アクセス端末１０２）に提供する。たとえば、様々な時点で、アクセス端末１０２は、アクセスポイント１０４、アクセスポイント１０６、またはシステム１００中の何らかの他のアクセスポイント（図示せず）に接続し得る。これらのアクセスポイントの各々は、ワイドエリアネットワーク接続性を可能にするために、（便宜上、ネットワークノード１０８によって表される）１つまたは複数のネットワークノードと通信し得る。ネットワークエンティティは、たとえば、１つまたは複数の無線および／またはコアネットワークエンティティなどの様々な形態をとり得る。したがって、様々な実装形態では、ネットワークエンティティは、無線ネットワーク制御、（たとえば、運用、アドミニストレーション、管理、および供給（provisioning）エンティティによる）ネットワーク管理、呼制御、モビリティ管理、ゲートウェイ機能、インターワーキング機能のうちの少なくとも１つなどの機能、または何らかの他の好適なネットワーク機能を表し得る。
【００２３】
本明細書の教示によれば、パイロットシグナチャ構成エンティティ１１０は、システム１００中のいくつかのアクセスポイントのために複数のパイロットシグナチャインジケータを割り振る。たとえば、パイロットシグナチャ構成エンティティ１１０は、アクセスポイント１０４（たとえば、フェムトセル）のために２つ以上のＰＮオフセットを割り振り得る。パイロットシグナチャ構成エンティティ１１０はまた、この情報をシステム１００中の他のエンティティに送り得る。たとえば、ターゲット識別エンティティ１１２は、ハンドオーバプロシージャのためのターゲットとしてアクセスポイントを識別するために、このパイロットシグナチャ情報を使用し得る。
【００２４】
アクセスポイント１０４は、その割り振られた複数のパイロットシグナチャインジケータのうちの１つをパイロット信号を送信するために使用し、他の割り振られた（１つまたは複数の）パイロットシグナチャインジケータを広告する。すなわち、アクセスポイント１０４は、当該他の割り振られた（１つまたは複数の）パイロットシグナチャインジケータを識別するメッセージをブロードキャストする。このメッセージは、メッセージ中に含まれる各パイロットシグナチャインジケータに関連するパイロット強度の定義された（たとえば、人工的な）指示（たとえば、Ｅｃｐ／Ｉｏ、総受信電力に対する受信パイロットエネルギーの比）をも含む。
【００２５】
アクセス端末１０２がアクセスポイント１０２の近傍にあるとき、アクセス端末１０２は、アクセスポイント１０４によって送信されたパイロット信号とメッセージとを受信する。本明細書の教示によれば、アクセス端末１０２は、受信したパイロット信号と受信したメッセージとに基づいてパイロットシグナチャインジケータを含むパイロット報告を生成する。たとえば、パイロット報告は、アクセスポイント１０４がパイロット信号を送信するために使用したＰＮオフセットの指示を含み、パイロット報告は、アクセスポイント１０４によって送られたメッセージ中に識別されたＰＮオフセットの１つまたは複数の指示を含む。各ＰＮオフセットについて、この報告は、たとえば、当該ＰＮオフセットに対応するＰＮ位相などのパイロット測定情報、ならびに対応するパイロット強度の指示を含む。また、アクセス端末の近傍に他のアクセスポイントがある場合、パイロット報告は、これらの他のアクセスポイントについての同様のパイロットシグナチャ関係情報を含む。
【００２６】
従来のやり方によれば、ある時点において、アクセス端末１０２は、それの現在のサービングアクセスポイント（たとえば、アクセスポイント１０６）にパイロット報告（pilot report）を送る。パイロット報告中の情報がアクセス端末のハンドオーバが保証されることを示す場合、パイロット報告に基づく情報を含むハンドオーバメッセージは、アクセス端末１０２のハンドオーバのためのターゲットアクセスポイントの識別情報を決定することができる別のネットワークエンティティ（たとえば、エンティティ１１２）に送られる。従来のやり方によれば、このハンドオーバメッセージは、たとえば、報告されたＰＮ位相または報告されたＰＮ位相に対応するセル識別子を含む。次いで、ハンドオーバメッセージを介して受信されたパイロットシグナチャ関係情報によって示されるものと一致するＰＮ位相を使用するアクセスポイントを識別するために、エンティティ１１２は、それがエンティティ１１０から受信したパイロットシグナチャ構成情報を使用する。
【００２７】
次に、本開示のこれらおよび他の態様について、図２および図３のフローチャートに関連してより詳細に説明する。便宜のために、図２および図３の動作（あるいは本明細書で説明または教示する他の動作）については、特定の構成要素（たとえば、図１、図１０、図１１、および図１２の構成要素）によって実行されるものとして説明することがある。ただし、これらの動作は、他のタイプの構成要素によって実行され得、異なる個数の構成要素を使用して実行され得ることを諒解されたい。また、本明細書で説明する動作の１つまたは複数は、所与の実装形態では採用されない場合があることを諒解されたい。
【００２８】
図２のブロック２０２によって表されるように、ある時点において、ネットワークエンティティが、１つのアクセスポイントのために複数のパイロットシグナチャインジケータを割り振る。たとえば、フェムトセルが配置されるとき、フェムト管理サーバは、そのフェムトセルのために２つ以上のＰＮオフセットを割り振り得る。そのような場合、パイロットシグナチャインジケータは、ＰＮオフセット（たとえば、５１２個のＰＮオフセットが使用のために利用可能である場合、０〜５１１までの数）を識別し得るか、または対応するＰＮ位相（たとえば、ＰＮ位相０からの位相シフトに対応するチップの数）を識別する。他のタイプのパイロットシグナチャインジケータが異なる実装形態において採用され得ることを諒解されたい。たとえば、パイロットシグナチャインジケータは、パイロット信号を拡散する（スクランブルする）ために使用されるプライマリスクランブリングコード（ＰＳＣ）または物理セル識別子（ＰＣＩ）を識別し得る。
【００２９】
ネットワークエンティティは、複数のパイロットシグナチャインジケータのうちの１つをパイロット信号を送信するために割り振り、残りの（１つまたは複数の）パイロットシグナチャインジケータは、アクセスポイントの識別のために使用される。たとえば、３つのパイロットシグナチャインジケータが１つのアクセスポイントに割り振られた場合、当該アクセスポイントは、パイロットシグナチャインジケータのうちの１つに基づいてパイロット信号を生成し、他の２つのパイロットシグナチャインジケータを広告する。以下でより詳細に説明するように、非パイロット信号使用に割り振られたパイロットシグナチャインジケータは、ネットワークの対応するエリア（たとえば、特定のモバイル交換センターによって管理されるカバレージエリア）中でパイロット信号使用に割り振られていないパイロットシグナチャインジケータのセットから取得される。
【００３０】
いくつかの場合において、ネットワークエンティティはまた、各広告されたパイロットシグナチャインジケータとともに、広告されるべきパイロット信号強度指示を定義する。以下でより詳細に説明するように、この定義されたパイロット信号強度指示は、その後、パイロット報告を生成するためにアクセス端末によって使用され得る。
【００３１】
ブロック２０４によって表されるように、ネットワークエンティティは、割り振られたパイロットシグナチャインジケータを含むメッセージをアクセスポイントに送ることによって、アクセスポイントを構成する。適用可能な場合、このメッセージは、１つまたは複数のパイロット信号強度指示をも含む。ここで説明するように、ネットワークエンティティはまた、ネットワーク中の１つまたは複数の他のエンティティにこの構成情報を送る。
【００３２】
ブロック２０６で表されるように、アクセスポイントはパイロットシグナチャインジケータを受信する。次いで、ブロック２０８によって表されるように、受信したパイロットシグナチャインジケータのうちの１つに基づいて、アクセスポイントはパイロット信号を送信する。たとえば、アクセスポイントは、割り振られたパイロットインジケータ（たとえば、特定のＰＮオフセット）に基づく拡散コード（たとえば、ＰＮ拡散コード）を使用することによってそれのパイロット信号を送信する。
【００３３】
ブロック２１０によって表されるように、アクセスポイントはまた、パイロット信号を送信するために使用される受信したパイロット信号以外の、受信したパイロットシグナチャインジケータのうちの少なくとも１つを含むメッセージ（たとえば、アクセスポイント識別子メッセージ（ＡＰＩＤＭ：access point identifier message））を生成し、送信する。たとえば、ブロック２０６において、アクセスポイントはＰＮオフセット０および２の指示を受信する。次いで、ブロック２０８において、アクセスポイントは、パイロット信号を送るためにＰＮオフセット０を使用する。この場合、ブロック２１０において生成されるメッセージは、ＰＮオフセット２に基づく指示を含む。いくつかの実装形態では、この例では、そのメッセージは、ＰＮオフセット０に基づく指示をもオプションで含み得る。
【００３４】
ブロック２１０において生成されたメッセージは、各広告されたパイロットシグナチャインジケータについてのパイロット信号強度指示を含み得る。上述のように、ある場合には、アクセスポイントは（１つまたは複数の）パイロット信号強度指示で構成される。しかしながら、他の場合には、アクセスポイントは（１つまたは複数の）パイロット信号強度指示を定義し得る。
【００３５】
ブロック２１２および２１４によって表されるように、アクセスポイントの近傍にあるアクセス端末は、アクセスポイントによって送信されたパイロット信号およびメッセージ（ならびに近くの他のアクセスポイントによって送信された同様の情報）を受信し得る。したがって、アクセス端末は、アクセスポイントによって送信されたパイロットシグナチャ関係情報を取得し得る。たとえば、受信したパイロット信号を復号することによって、アクセス端末は、パイロット信号を送信するために使用されたＰＮオフセットを識別する。さらに、アクセス端末は、受信したメッセージ中に含まれるＰＮオフセットを読みとる。
【００３６】
ブロック２１２および２１４において受信された情報は、パイロット報告の送信をトリガし得る。たとえば、パイロット信号の受信信号強度があるしきい値レベルを超えた（たとえば、定義されたマージンだけサービングマクロセルからの信号の受信信号強度を超えた）場合、報告の送信がトリガされる。
【００３７】
図３のブロック２１６によって表されるように、アクセス端末は、メッセージを介して受信された（１つまたは複数の）パイロットシグナチャインジケータに基づく少なくとも１つの指示を含むパイロット報告を生成し、送信する。そのような指示は、受信したパイロットシグナチャインジケータの形式と、アクセス端末が受信したインジケータを別の形式に変換するかどうかとに応じて、様々な形式をとり得る。たとえば、ある場合には、アクセス端末は、アクセスポイントからＰＮオフセットを受信し、これらのＰＮオフセットを対応するＰＮ位相に変換し、パイロット報告中にこれらのＰＮ位相の指示を含める。他の場合には、アクセス端末は、アクセスポイントからＰＮ位相を受信し、パイロット報告中にこれらのＰＮ位相の指示を含める。
【００３８】
パイロット報告は、報告中に各指示エントリについてのパイロット信号強度指示をも含む。たとえば、アクセス端末は、ブロック２１２において受信したパイロット信号の信号強度を測定し、パイロット報告中にこの値の指示を含み得る。さらに、アクセス端末は、パイロット報告中に、ブロック２１４においてメッセージを介して受信したパイロット信号強度指示を含み得る。
【００３９】
有利には、このパイロット報告は、レガシーネットワークエンティティの動作に適合する形式で与えられる。たとえば、レガシー移動局のためのハードハンドオーバの場合（また、ＣＤＭＡ  ＨＲＰＤにおいても）、パイロット測定値（たとえば、ＰＮ位相および強度）のみが報告される。ここで説明するように、ブロック２１６において送信されたパイロット報告は、ＰＮ位相と受信信号強度情報とを単に含む。したがって、パイロット報告は、アクセスポイントを一意に識別するために、最終的に別のネットワークエンティティによって組合せで使用される追加情報（たとえば、追加のＰＮ位相指示）を含むが、パイロット報告はレガシーエンティティによって扱われ得る。
【００４０】
ブロック２１８によって表されるように、現在アクセス端末をサービスしているネットワークエンティティ（たとえば、マクロアクセスポイント）がパイロット報告を受信する。従来のやり方によれば、このネットワークエンティティまたは関連するネットワークエンティティ（たとえば、モバイル交換センター）は、アクセス端末のハンドオーバが保証されるかどうかを決定し得る。たとえば、パイロット報告中で受信信号強度値のうちの１つが定義されたマージンだけ同様のマクロ信号レベルを超えた場合、ハンドオーバ動作がトリガされ得る。
【００４１】
いくつかの実装形態（たとえば、ＣＤＭＡ  １ｘ技術）では、ソースネットワークエンティティは、受信したパイロットシグナチャインジケータを別の形式の指示に変換する。たとえば、マクロ基地局（または関連するモバイル交換センター）が、そのネットワークエンティティにとって既知であるマッピングに基づいて、各受信したＰＮ位相を対応するセル識別子に変換し得る。そのような場合、ここで説明するソース動作は、対応するセル識別子に基づいて実行され得る。
【００４２】
ソースネットワークエンティティ（たとえば、モバイル交換センター）はまた、それがハンドオーバターゲットを識別することができるかどうかを決定し得る。たとえば、ネットワークエンティティが知っているＰＮ位相（または上記で説明したセル識別子）に関連する最高の受信信号強度が、特定のアクセスポイントによって使用されている場合、ネットワークエンティティは、アクセス端末のハンドオーバを可能にするために、そのアクセスポイントと通信し得る。一方、ネットワークエンティティがそのＰＮ位相（またはセル識別子）に関連するアクセスポイントの識別情報を知らない場合、ネットワークエンティティは、（たとえば、ルックアップテーブルを使用することによって）がアクセスポイントの識別情報を知っていることを広告する別のネットワークエンティティを識別し得る。たとえば、ソースマクロモバイル交換センター中の構成情報は、別のモバイル交換センターが特定のセル識別子を扱うことができることと、さらに別のモバイル交換センターが別のセル識別子を扱うことができることとを示し得る。そのような場合、ブロック２２０によって表されるように、ソースネットワークエンティティは、受信されたかまたは生成されたハンドオーバ関係情報を含むハンドオーバメッセージを他のネットワークエンティティに送り得る。
【００４３】
以上のことから、レガシーマクロアクセスポイントが、（たとえば、ＡＰＩＤＭを介して）広告される割り振られたＰＮ位相インジケータで構成される必要があり得ることがわかるであろう。しかしながら、このようにしてアクセスポイントを構成するための機構が、すでにレガシーシステムにおいて利用可能である。したがって、本明細書の教示の実装形態は、この機構を使用してＰＮ位相（および場合によっては、関連するセル識別子）情報でレガシーマクロアクセスポイントを構成することのみを含み得る。有利には、レガシーエンティティは、アクセスポイントに割り振られた実際の組合せに関して知る必要がない。代わりに、この情報は、アクセスポイントを識別する実際の動作を実行する別のエンティティ（たとえば、フェムトコンバージェンスサーバまたはフェムトゲートウェイ）に与えられる。
【００４４】
ブロック２２２によって表されるように、ターゲットネットワークエンティティ（たとえば、フェムトコンバージェンスサーバまたはフェムトゲートウェイ）は、ブロック２２０においてソースネットワークエンティティによって送られたハンドオーバメッセージを受信し得る。したがって、このメッセージは、たとえば、上記で説明したパイロットシグナチャインジケータ（たとえば、ＰＮ位相インジケータ）またはセル識別子を含み得る。さらに、ハンドオーバメッセージは、上記で説明した受信したパイロット信号強度指示を含み得る。
【００４５】
ブロック２２４によって表されるように、ある時点において、ターゲットネットワークエンティティは、アクセスポイント（たとえば、ネットワークエンティティの監視下のアクセスポイント）のセットのためのパイロット関係情報マッピングを決定する。このマッピングは、異なる実装形態において異なる形式をとり得る。たとえば、場合によっては、マッピングの所与のエントリは、所与のアクセスポイントを、そのアクセスポイントに割り振られたパイロットシグナチャインジケータ（たとえば、ＰＮ位相インジケータまたはＰＮオフセットインジケータ）のセットにマッピングする。場合によっては、マッピングエントリは所与のアクセスポイントをセル識別子のセットとマッピングし、セル識別子のセットは、代わりに、当該アクセスポイントに割り振られたパイロットシグナチャインジケータのセットに割り当てられている。
【００４６】
ブロック２２６によって表されるように、したがって、ターゲットネットワークエンティティは、マッピングと受信したパイロットシグナチャ関係情報とに基づいて、アクセス端末のハンドオーバのためのターゲットアクセスポイントを識別し得る。たとえば、ネットワークエンティティは、受信したＰＮ位相インジケータ（またはセル識別子）をマッピング内のエントリと比較して、パイロット信号を送信したアクセスポイントと、これらのＰＮ位相インジケータ（またはセル識別子）をターゲットネットワークエンティティに送信させたメッセージとを識別し得る。特定の例として、測定報告中の最高受信信号強度がＰＮ位相０および２に関連する場合、ネットワークエンティティは、マッピング中のどのエントリがＰＮ位相のこのセットを含んでいるかを決定する。次いで、ネットワークエンティティは、このエントリから対応するアクセスポイントの識別情報を調べる。
【００４７】
ブロック２２８によって表されるように、適切なターゲットが識別されると、ターゲットへのアクセス端末のハンドオーバが実行される。たとえば、ターゲットネットワークエンティティは、ハンドオーバを完了するために、ソースアクセスポイントとターゲットアクセスポイントとの間の通信を可能にし得る。
【００４８】
図４は、本明細書の教示による、そのようなシステムにおいて使用され得る例示的なメッセージフローを記載する、ＣＤＭＡ  １ｘシステム４００の簡略化された例を示す。ここで、フェムト管理システム（ＦＭＳ）は、フェムトセルに割り振られ得るＰＮオフセット（ＰＮ１〜ＰＮ１５）のプールを維持する。この例では、ＰＮ２〜ＰＮ４は、矢印４０２によって表されるように、特定のフェムトセルのために割り振られる。ＦＭＳはまた、矢印４０４によって表されるように、適切なネットワークエンティティ（たとえば、フェムトコンバージェンスサーバ（ＦＣＳ）またはフェムトＭＳＣ）にこの情報を供給する。フェムトセルは、ＰＮ２〜ＰＮ４を含むメッセージ（たとえば、ＡＰＩＤＭ）をブロードキャストし、このメッセージは、近傍の移動局（ＭＳ）によって受信される。次いで、ＭＳは、対応するＰＮ位相情報（ＰＮ位相２〜ＰＮ位相４）を含むパイロット強度測定メッセージ（ＰＳＭＭ）をそれのサービングマクロ基地局（ＢＳ）に送信する。マクロＢＳは、今度は（Ａ１ｐインターフェースを介して）対応するセル識別子（セルＩＤ２〜セルＩＤ４）をそれのマクロＭＳＣに送り、マクロＭＳＣは、（ＩＳ−４１インターフェースを介して）セル識別子をターゲットＦＣＳ／ＭＳＣに転送する。ここで、各ＰＮオフセット（およびＰＮ位相）と各セルＩＤとの間には１：１のマッピングがある。次いで、ターゲットＦＣＳ／ＭＳＣは、報告されたセルＩＤに基づいてハンドオーバターゲットを決定する。
【００４９】
図５は、本明細書の教示による、そのようなシステムにおいて使用され得る例示的なメッセージフローを記載する、ＣＤＭＡ  ＨＲＰＤシステム５００の簡略化された例を示す。再び、フェムト管理システム（ＦＭＳ）は、複数のフェムトセルに割り振られ得るＰＮオフセット（ＰＮ１〜ＰＮ１５）のプールを維持する。ＰＮ２〜ＰＮ４は、矢印５０２によって表されるように、特定のフェムトセルに割り振られる。ＦＭＳはまた、矢印５０４によって表されるように、適切なネットワークエンティティ（たとえば、フェムトゲートウェイ（ＦＧＷ））にこの情報を供給する。次いで、フェムトセルは、近傍のアクセス端末（ＡＴ）によって受信され得る、ＰＮ２〜ＰＮ４を含むメッセージ（たとえば、ＡＰＩＤＭ）をブロードキャストする。ＡＴは、対応するＰＮ位相情報（ＰＮ位相２〜ＰＮ位相４）を含むルート更新メッセージ（Route Update message）をそれのサービングマクロアクセスネットワーク（ＡＮ）に送信する。マクロＡＮは、今度は、（Ａ１６セッション転送要求中にルート更新メッセージを埋め込むことによって）ターゲットＦＧＷにＰＮ位相情報を送る。次いで、ターゲットＦＧＷは、報告されたＰＮ位相に基づいてハンドオーバターゲットを決定する。
【００５０】
上記を念頭において、本明細書の教示に従って実行され得る動作の追加の詳細について、図６〜図９を参照しながら説明する。
【００５１】
図６に、アクセスポイントのためにパイロットシグナチャ指示を割り振るために実行され得る例示的な動作を記載する。これらの動作は、たとえば、フェムト管理システムなどのネットワークエンティティによって実行され得る。
【００５２】
ブロック６０２によって表されるように、アクセスポイント（たとえば、フェムトセル）に割り振られ得る非割振り（unallocated）パイロットシグナチャのセットが識別される。たとえば、このセットは、所与のエリア中のマクロアクセスポイントによって使用されていないＰＮオフセットのすべてを備え得る。
【００５３】
場合によっては、パイロットシグナチャのこのセットは、非パイロット送信使用のみに指定され得る。たとえば、利用可能なパイロットシグナチャのセット（たとえば、２５６個の利用可能なＰＮオフセット）の中から、パイロット信号を送信するための使用に第１のグループが指定され得、アクセスポイントによってメッセージ（たとえば、ＡＰＩＤＭ）中で送られることのみに第２のグループが指定され得る。言い換えれば、第２のグループのパイロットシグナチャは、送信されたパイロット信号をスクランブルするために使用され得ない。有利には、パイロットシグナチャのこの第２のグループは、マクロネイバーリスト中のこれらのパイロットシグナチャを広告する必要なしに、また、アクセス端末がこれらのパイロットシグナチャの探索を行う必要なしにアクセスポイントを識別するために使用され得る。場合によっては、パイロット信号を送信するために指定されたパイロットシグナチャは、（たとえば、ＡＰＩＤＭ中で）広告されるためにも指定され得る。
【００５４】
パイロットシグナチャのセットの割振りは、指定されたエリアに対して行われ得る。たとえば、パイロットシグナチャがＡＰＩＤＭ中でのみ広告されるようにパイロットシグナチャのセットを指定することは、所与のフェムト管理システムまたは所与のモバイル交換センターによって監視または制御されるアクセスポイントのカバレージエリアに対応するエリアにのみ適用し得る。したがって、いくつかの態様では、パイロットシグナチャインジケータは、ワイヤレスネットワークのエリアに関連するいかなるアクセスポイントによってもパイロットスクランブリング使用のために現在割り振られていないパイロットシグナチャを示す値を備え得る。
【００５５】
ブロック６０４によって表されるように、ある時点において、アクセスポイントのためのパイロットシグナチャ割振りを開始する。たとえば、フェムトセルが配置され、電源投入され、リセットされ、または再構成されるとき、フェムト管理システムはこの割振りを開始し得る。
【００５６】
本明細書で説明するように、このプロセスは、単一のアクセスポイントのために複数のパイロットシグナチャインジケータを割り振って、次いでハンドオーバ中に一意にアクセスポイントを識別するために使用され得る一意のシグナチャをそのアクセスポイントに与えることに関与し得る。したがって、ブロック６０６によって表されるように、このようにして２つ以上のパイロットシグナチャ指示が所与のアクセスポイントのために（たとえば、所与のタイプのアクセスポイントのために）割り振られるべきであるという決定を行う。たとえば、所与のネットワーク中のすべてのフェムトセルは、２つ以上のＰＮオフセットを割り振られ得るが、そのネットワーク中のすべての他のアクセスポイントは、単一のＰＮオフセットを割り振られ得る。
【００５７】
したがって、ブロック６０８によって表されるように、割振りエンティティは、（たとえば、パイロットシグナチャインジケータの各々が、特定のＰＮオフセットまたはＰＮ位相に対応する特定の値を備える）複数のパイロットシグナチャインジケータを所与のアクセスポイントに割り振る。上記で説明したように、これらのパイロットシグナチャインジケータのうちの１つは、アクセスポイントによってパイロット信号の送信のために割り振られるが、残りの（１つまたは複数の）パイロットシグナチャインジケータは、（たとえば、ＡＰＩＤＭを介して）アクセスポイントによって広告されるために割り振られる。
【００５８】
ブロック６１０によって表されるように、割振りエンティティは、広告されるために割り振られた各パイロットシグナチャインジケータについてのパイロット信号強度情報をオプションで定義する。場合によっては、このパイロット信号強度は、ネットワークハンドオーバトリガ機構に過度の干渉がなくなることを確実にする値に設定される（たとえば、選択された値は、ハンドオーバプロシージャの不要な開始をトリガしない）。たとえば、パイロット信号強度は、マクロアクセスポイントとの呼を維持するために指定される最小受信信号強度を下回る値で定義され得る。
【００５９】
いくつかの実装形態では、定義されたパイロット信号強度は、アクセスポイントについての識別情報シグナチャを定義するために使用され得る。すなわち、所与のアクセスポイントについての識別情報シグナチャは、異なるＰＮオフセットインジケータ（またはＰＮ位相インジケータ）と異なる関連するパイロット強度値とを割り振ることによって生成され得る。したがって、以下で説明するように、ネットワークエンティティ（たとえば、フェムトコンバージェンスサーバまたはフェムトゲートウェイ）は、ハンドオーバのためのターゲットを識別するときにこれらのパイロット信号強度指示をも考慮に入れ得る。
【００６０】
ブロック６１２によって表されるように、割振りエンティティは、割り振られたパイロットシグナチャインジケータを含むメッセージをアクセスポイントに送る。本明細書で説明するように、このメッセージは、ＰＮオフセットインジケータ、ＰＮ位相インジケータ、ＰＳＣインジケータ、ＰＣＩインジケータ、または何らかの他のタイプのインジケータを含み得る。さらに、このメッセージは、ブロック６１０において定義された（１つまたは複数の）パイロット信号強度指示を含み得る。
【００６１】
ブロック６１４によって表されるように、割振りエンティティはまた、１つまたは複数の他のネットワークエンティティに、割り振られたパイロットシグナチャインジケータ（およびオプションで定義された（１つまたは複数の）パイロット信号強度指示）を含むメッセージを送る。たとえば、このメッセージは、フェムトコンバージェンスサーバ、（フェムトセルゲートウェイとも呼ばれる）フェムトゲートウェイ、アクセスネットワーク、何らかの他のエンティティ、またはこれらのエンティティの何らかの組合せに送られ得る。
【００６２】
図７に、それのパイロットシグナチャ関係情報を広告することに関連して、アクセスポイントによって実行され得る例示的な動作を記載する。これらの動作は、アクセスポイントがそのアクセスポイントのために割り振られたパイロットシグナチャインジケータを含む構成メッセージを受信するブロック７０２において開始する。さらに、上記で説明したように、場合によっては、このメッセージは、パイロットシグナチャインジケータのうちの１つまたは複数についての定義されたパイロット信号強度情報を含む。
【００６３】
ブロック７０４によって表されるように、アクセスポイントは、（たとえば、アクセスポイントがフェムト管理システムからパイロット信号強度指示を受信しなかった場合に）広告されるために割り振られた各パイロットシグナチャインジケータについてのパイロット信号強度情報をオプションで定義し得る。場合によっては、パイロット信号強度指示が、（たとえば、上記で説明したように）ネットワークハンドオーバトリガ機構に過度の干渉がなくなることを確実にする値に設定される。
【００６４】
ブロック７０６によって表されるように、アクセスポイントは、割り振られたパイロットシグナチャインジケータのうちの１つに基づいてパイロット信号を送信する。たとえば、アクセスポイントがパイロット信号を送信するために使用する拡散コードの位相を調整するために、アクセスポイントは、割り振られたＰＮオフセットを使用し得る。
【００６５】
ブロック７０８によって表されるように、アクセスポイントは、パイロット信号を送信するために使用される受信したパイロット信号以外の受信したパイロットシグナチャインジケータのうちの少なくとも１つを含むメッセージを生成する。このメッセージは、本明細書で説明するように、各広告されたパイロットシグナチャインジケータについてのパイロット信号強度指示をも含み得る。
【００６６】
ブロック７１０によって表されるように、アクセスポイントは、ブロック７０８において生成されたメッセージを送信する。たとえば、アクセスポイントは、ＡＰＩＤＭメッセージまたは何らかの他の好適なメッセージ（たとえば、パイロット情報を含むように変更された既存のメッセージ、またはこの情報を含む新しいメッセージ）を繰り返し（たとえば、周期的に）ブロードキャストし得る。
【００６７】
図８に、パイロット報告を生成することに関連して、アクセス端末によって実行され得る例示的な動作を記載する。本明細書で説明するように、このパイロット報告は、アクセスポイントから受信した広告されたパイロットシグナチャ関係情報に部分的に基づく。
【００６８】
ブロック８０２によって表されるように、アクセス端末は、アクセスポイントからパイロット信号を受信する。ブロック８０４によって表されるように、アクセス端末は、（たとえば、既知の技法を使用して）パイロット信号を送るためにアクセスポイントによって使用されたパイロットシグナチャ（たとえば、ＰＮオフセットまたはＰＮ位相）を識別する。
【００６９】
ブロック８０６によって表されるように、アクセス端末はまた、アクセスポイントからメッセージ（たとえば、ＡＰＩＤＭ）を受信する。本明細書で説明するように、このメッセージは、そのアクセスポイントのために割り振られた少なくとも１つのパイロットシグナチャインジケータと、オプションで、各パイロットシグナチャインジケータについての定義されたパイロット信号強度情報とを含む。
【００７０】
ブロック８０８によって表されるように、アクセス端末は、オプションで、ブロック８０６において受信した少なくとも１つのパイロットシグナチャインジケータに関連するパイロット位相値（たとえば、ＰＮ位相）と、必要な場合、ブロック８０４において決定されたパイロットシグナチャとを決定する。たとえば、受信したパイロットシグナチャインジケータがＰＮオフセットのセットを備える場合、アクセス端末は各ＰＮオフセット（指定されたＰＮi）についてのＰＮ位相（指定されたＰＮ＿Ｐｈａｓｅi）を計算するために以下の式、ＰＮ＿Ｐｈａｓｅi＝（ＰＩＬＯＴ＿ＡＲＲＩＶＡＬ＋（６４×ＰＮi））ｍｏｄ２15を使用し得る。ここで、ＰＩＬＯＴ＿ＡＲＲＩＶＡＬは、（たとえば、Ｃ．Ｓ０００５−Ｅのセクション２．６．６．２．４において定義されているように）物理フェムトアクセスポイントパイロットの測定された到達時刻である。
【００７１】
ブロック８１０によって表されるように、アクセス端末は、ブロック８０６において受信された（１つまたは複数の）パイロットシグナチャインジケータに基づく少なくとも１つの指示と、ブロック８０４において識別されたパイロットシグナチャに基づく指示とを含むパイロット報告を生成する。たとえば、これらの指示は、（１つまたは複数の）受信したインジケータと識別されたパイロットシグナチャとに直接対応し得るか、またはこれらの指示は、ブロック８０８において決定されたパイロット位相値（たとえば、ＰＮ位相）に対応し得る。
【００７２】
パイロット報告は、報告中に各指示エントリについてのパイロット信号強度指示をも含む。たとえば、アクセス端末は、ブロック８０２において受信されたパイロット信号の信号強度を測定し、パイロット報告中にこの値の指示を含める。場合によっては、各広告されたパイロットシグナチャインジケータについてのパイロット信号強度指示も、この同じ値に設定され得る。代替的に、アクセス端末は、各広告されたパイロットシグナチャインジケータについてのパイロット報告エントリ中にブロック８０６において受信されたパイロット信号強度情報を含み得る。
【００７３】
ブロック８１２によって表されるように、アクセス端末は、ブロック８１０において生成されたパイロット報告（たとえば、ＰＳＭＭまたはルート更新）を送信する。たとえば、アクセス端末は、さらなる処理のために報告をサービングマクロアクセスポイント（たとえば、マクロ基地局またはアクセスネットワーク）に送り得る。
【００７４】
図９に、本明細書で教示するアクセスポイントパイロットシグナチャ情報に基づいてハンドオーバターゲットを識別することに関連して実行される例示的な動作を記載する。これらの動作の２つのバージョンについて説明する。（たとえば、図５のシステム５００に対応する）１つのバージョンは、ターゲットを識別するためにＰＮ位相インジケータなどのパイロットシグナチャインジケータを使用し、（たとえば、図４のシステム４００に対応する）他のバージョンは、ターゲットを識別するためにセル識別子を使用する。これらの動作は、たとえば、フェムトコンバージェンスサーバ、フェムトゲートウェイ、またはアクセスネットワークなどのネットワークエンティティによって実行され得る。
【００７５】
ブロック９０２によって表されるように、ある時点において、アクセスポイントのセットについて、パイロットシグナチャインジケータマッピングまたはセル識別子マッピングを決定する。ここで、パイロットシグナチャインジケータマッピングは、異なるアクセスポイントをパイロットシグナチャインジケータの異なるセットとマッピングする。たとえば、所与のアクセスポイントが、フェムトコンバージェンスサーバによってそのアクセスポイントのために割り振られた（２つのＰＮオフセットに対応する）２つのＰＮ位相にマッピングされる。同様に、セル識別子マッピングは、異なるアクセスポイントをセル識別子の異なるセットとマッピングする。たとえば、所与のアクセスポイントが、フェムトコンバージェンスサーバによってそのアクセスポイントのために割り振られた（２つのＰＮオフセットに対応する）２つのセル識別子にマッピングされる。
【００７６】
エンティティがこのマッピングを様々な方法で決定する。いくつかの実装形態では、ネットワークエンティティ（たとえば、フェムトコンバージェンスサーバまたはフェムトゲートウェイ）は（たとえば、フェムト管理システムから受信した構成情報に基づいて）マッピングを生成する。いくつかの実装形態では、ネットワークエンティティは、別のネットワークエンティティから（たとえば、フェムト管理システムから）マッピングを受信する。
【００７７】
ブロック９０４によって表されるように、ある時点において、ネットワークエンティティは、アクセス端末のハンドオーバのためのメッセージを受信する。本明細書で説明するように、このメッセージは、たとえば、（たとえば、システム５００の場合の）パイロットシグナチャインジケータまたは（たとえばシステム４００の場合の）セル識別子を含む。さらに、このメッセージは、本明細書で説明するように、受信したパイロット信号強度指示を含む。
【００７８】
ブロック９０６によって表されるように、ネットワークエンティティは、２つ以上のパイロットシグナチャインジケータまたはセル識別子が、ターゲットアクセスポイントを識別するために必要とされるかどうかを決定し得る。たとえば、従来のやり方によれば、ハンドオーバメッセージ中で（すなわち、パイロット報告から）識別されたＰＮ位相またはセル識別子が、単一のアクセスポイント（たとえば、非フェムトセル）に一意に関連する。このＰＮ位相またはセル識別子が最も強い受信パイロット強度に関連する場合、ターゲットは、対応するパイロットシグナチャインジケータまたはセル識別子のみに基づいて識別される。
【００７９】
しかしながら、他のアクセスポイント（たとえば、フェムトセル）の場合、アクセスポイントの一意の識別は、複数のパイロットシグナチャインジケータまたはセル識別子を使用することによってのみ達成される。本明細書の教示によれば、ネットワークエンティティは、複数のパイロットシグナチャインジケータまたはセル識別子が、メッセージ中で受信されたパイロットシグナチャインジケータの分析に基づいて、ターゲットを識別するために使用される必要があるかどうかを決定する。たとえば、上記で説明したように、ＰＮオフセットの専用セットは、（すなわち、実際のパイロット信号を送るために使用されるのでなく）広告されるためにのみ割り振られ得る。したがって、パイロットシグナチャインジケータまたはセル識別子（たとえば、セルＩＤ２〜１５）の値（たとえば、ＰＮ位相２〜１５）は、それが特定のタイプのアクセスポイント（たとえば、フェムトセル）に関連することと、このパイロットシグナチャインジケータまたはセル識別子が、アクセスポイントを一意に識別するために少なくとも１つの他のパイロットシグナチャインジケータまたはセル識別子に関連して使用されるべきであることとを示す。
【００８０】
ブロック９０８によって表されるように、マッピングと受信したパイロットシグナチャ関係情報とに基づいて、アクセス端末のハンドオーバのためのターゲットアクセスポイントを識別する。たとえば、ネットワークエンティティは、受信したＰＮ位相インジケータ（またはセル識別子）をマッピング中のエントリと比較して、パイロット信号を送信したアクセスポイントと、これらのＰＮ位相インジケータ（またはセル識別子）をターゲットネットワークエンティティに送信させるメッセージとを識別する。特定の例として、測定報告中の最も高い受信信号強度がＰＮ位相０および２に関連する場合、ネットワークエンティティは、マッピング中のどのエントリがＰＮ位相のこのセットを含んでいるかを決定する。次いで、ネットワークエンティティは、このエントリから対応するアクセスポイントの識別情報を調べる。
【００８１】
また、場合によっては、ターゲットアクセスポイントの識別は、受信したパイロット信号強度指示に基づく。たとえば、複数のアクセスポイントが受信したパイロットシグナチャ関係情報によって識別される状況において、（たとえば、実際のパイロット信号についての）最も高いパイロット信号強度指示に関連するアクセスポイントが選択され得る。
【００８２】
さらに、いくつかの実装形態では、パイロット信号強度指示は、アクセスポイントのための識別情報シグナチャを形成するために使用される。この場合、ブロック９０２において決定されたマッピングは、アクセスポイントに指定されたパイロット信号強度情報を含む。したがって、ネットワークエンティティは、ブロック９０４において受信されたパイロット信号強度指示をマッピング中のパイロット信号強度インジケータエントリと比較することによって、ターゲットアクセスポイントを識別し得る。たとえば、２つの異なるアクセスポイントには、同じＰＮオフセットが割り振られるが、異なるパイロット信号強度指示が割り振られ得る。したがって、アクセスポイントの識別は、ＰＮオフセットとパイロット信号強度指示との両方に基づく。
【００８３】
ブロック９１０によって表されるように、適切なターゲットが識別されると、ネットワークエンティティは、（たとえば、ソースアクセスポイントにターゲットアクセスポイントの識別情報を通知することによって）ターゲットへのアクセス端末のハンドオーバを可能にする。
【００８４】
説明のために、図１０および図１１に、本明細書で教示するメッセージングが様々なタイプのネットワークアーキテクチャにおいてどのように実装され得るかを示す。図１０に、（たとえば、図４のシステム４００に対応する）ＣＤＭＡ  １ｘフェムトシステム１０００の簡略化された例を示す。図１１に、（たとえば、図５のシステム５００に対応する）ＣＤＭＡ  ＨＲＰＤフェムトシステム１１００の簡略化された例を示す。
【００８５】
最初に図１０を参照すると、フェムトアクセスポイント（ＦＡＰ）がフェムトゲートウェイ（ＦＧＷ）を介してコアネットワークと通信する。たとえば、ユーザトラフィックと、インターネットプロトコル（ＩＰ）トラフィックと、制御トラフィックとを搬送するために、フェムトアクセスポイントとフェムトゲートウェイとの間にＩＰｓｅｃトンネルが確立される。たとえば、メディアゲートウェイ制御機能／メディアゲートウェイ（ＭＧＣＦ／ＭＧＷ）は、Ｆｘ１インターフェースを介してコアネットワークからフェムトアクセスポイントへのユーザトラフィックの転送を可能にする。同様に、フェムトアクセスポイントとの間でＩＭＳトラフィックを転送するために、Ｆｘ２インターフェースが使用される。フェムト管理システム（ＦＭＳ）が、構成と他の情報とを、Ｆｍインターフェースを介してフェムトアクセスポイントに送り、フェムトコンバージェンスサーバなどの他のネットワークエンティティ（接続は図示せず）に送る。
【００８６】
本明細書の教示による、システム１０００によって実行されるハンドオーバ動作の例は、以下の通りである。移動局（ＭＳ）は、フェムトアクセスポイント（ＦＡＰ）から少なくとも１つのＰＮオフセットを含むＡＰＩＤＭを受信し、対応するＰＮ位相情報を含むＰＳＭＭをマクロ基地局（ＢＳ）に送る。マクロＢＳは、パイロットＰＮ位相情報をセル識別子に変換し、Ａ１／Ａ１ｐインターフェースを介して、得られたパイロットシグナチャ情報をＭＳＣ／ＭＳＣｅに送る。ここで、フェムトコンバージェンスサーバ（ＦＣＳ）は、マクロ１ｘインフラストラクチャシステムにとってはターゲットモバイル交換センター（ＭＳＣ）のように見える。したがって、ＦＣＳは、ＦＣＳがＭＳＣ／ＭＳＣｅからＩＳ−４１  ＦＡＣＤＩＲ２メッセージを介して受信した情報に基づいて、ターゲット１ｘフェムトアクセスポイントを識別する。
【００８７】
図１１を参照すると、フェムトアクセスポイント（ＦＡＰ）は、セキュリティゲートウェイ（ＳｅＧＷ）とフェムトゲートウェイ（ＦＧＷ）とを介してネットワークと通信する。たとえば、ユーザトラフィックと、インターネットプロトコル（ＩＰ）トラフィックと、制御トラフィックとを搬送するために、フェムトアクセスポイントとセキュリティゲートウェイとの間にＩＰｓｅｃトンネルが確立される。たとえば、フェムトアクセスポイントとマクロＨＲＰＤアクセスネットワーク／パケット制御機能（ＡＮ／ＰＣＦ）との間のトラフィックは、Ａ１３、Ａ１６およびＡ２４インターフェース上で搬送される。フェムトアクセスポイントとアクセスネットワーク認証、許可および課金エンティティ（ＡＮ−ＡＡＡ）との間のトラフィックは、Ａ１２インターフェース上で搬送される。フェムトアクセスポイントとパケットデータサービングノード（ＰＤＳＮ）との間のトラフィックは、Ａ１０およびＡ１１インターフェース上で搬送される。フェムト管理システム（ＦＭＳ）が、構成と他の情報とを、Ｆｍインターフェースを介してフェムトアクセスポイントに送り、フェムトゲートウェイなどの他のネットワークエンティティ（接続は図示せず）に送る。
【００８８】
本明細書の教示による、システム１１００によって実行されるハンドオーバ動作の例は、以下の通りである。アクセス端末（ＡＴ）は、フェムトアクセスポイント（ＦＡＰ）から少なくとも１つのＰＮオフセットを含むＡＰＩＤＭを受信し、対応するＰＮ位相情報を含むＰＳＭＭをマクロアクセスネットワーク（ＡＮ）エンティティに送る。マクロアクセスネットワークは、Ａ１６インターフェース上で送られた埋込みルート更新メッセージ（embedded Route Update message）を介してＰＮ位相情報をフェムトゲートウェイに送る。ここで、フェムトゲートウェイは、マクロアクセスネットワークへのいかなる変更も必要とすることなしに、マクロアクセスネットワークがフェムトシステムにハンドオフすることを可能にするためにＡ１６プロキシ機能を実行する。フェムトゲートウェイは、ルート更新メッセージ中の情報に基づいてターゲットフェムトアクセスポイントを識別する。
【００８９】
本明細書で教示するように、パイロットシグナチャインジケータをサポートするために、様々なフィールドがＡＰＩＤＭなどのメッセージ中に与えられ得る。以下に２つの例を示す。
【００９０】
第１の例では、変数ＨＯ＿ＰＮ＿ＧＲＯＵＰ＿ＩＮＣＬに対応する第１のフィールド（たとえば、１ビット）は、ＰＮオフセットグループがメッセージ中で広告されるときに１に設定される。他の場合、第１のフィールドは０に設定される。変数ＨＯ＿ＰＮ＿ＧＲＯＵＰ＿ＣＯＵＮＴに対応する第２のフィールド（たとえば、０または４ビット）は、このフィールドに続くＰＮオフセットの数を含んでいる。変数ＰＮ＿ＯＦＦＳＥＴ＿ＧＲＯＵＰに対応する第３のフィールド（たとえば、０または（９×ＬＯＣ＿ＲＥＣ＿ＬＥＮ）ビット）は、その各々がＰＮオフセットを記載する９ビットフィールドのアレイを含む。ここで、ＬＯＣ＿ＲＥＣ＿ＬＥＮは、利用可能なＰＮオフセットの最大数に対応する。また、これらのＰＮオフセットのナンバリング（またはオフセッッティング）は、マクロ基地局の（採用されている位相間隔を示す）ＰＮ＿Ｉｎｃに適合する必要がある。
【００９１】
第２の例（Ｃ．Ｓ０００５−Ｅ  ｖ２．０中の表３．７．２．３．２．３９−５を参照）では、ＡＰＩＤＭは、第３のフィールド中に含まれる情報のタイプを示すために異なる値に設定された変数ＨＯ＿ＩＮＦＯ＿ＴＹＰＥに対応する第１のフィールド（たとえば、３ビット）を含む。たとえば、第１のフィールド中の「００１」の値は、第３のフィールドがＰＳＭＭメッセージのためのシグナチャを含むことを示す。逆に、第１のフィールド中の「０１０」の値は、第３のフィールドがルート更新メッセージのためのシグナチャを含むことを示す。変数ＨＯ＿ＩＮＦＯ＿ＬＥＮに対応する第２のフィールド（たとえば、８ビット）は、第３のフィールドの長さに設定される。第３のフィールド（たとえば、ＨＯ＿ＩＮＦＯ＿ＬＥＮビット）は、上記で説明したように第１のフィールドの値に依存する情報を含む。
【００９２】
ＨＯ＿ＩＮＦＯ＿ＴＹＰＥが「００１」の場合、第３のフィールドは、ＰＳＭＭ＿ＳＩＧ＿ＣＯＵＮＴフィールド（たとえば、３ビット）とＰＳＭＭ＿ＳＩＧＮＡＴＵＲＥフィールド（たとえば、２１ビット）とを含む。ＰＳＭＭ＿ＳＩＧ＿ＣＯＵＮＴフィールドは、ＰＳＭＭ＿ＳＩＧＮＡＴＵＲＥフィールドの発生（occurrences）数に設定される。ＰＳＭＭ＿ＳＩＧＮＡＴＵＲＥフィールドは、ハンドオフ中にＰＳＭＭ中に含まれるべき基地局のシグナチャに設定される。１５個のＭＳＢがＰＩＬＯＴ＿ＰＮ＿ＰＨＡＳＥフィールド中で使用され、６つのＬＳＢがＰＩＬＯＴ＿ＳＴＲＥＮＧＴＨフィールド中で使用される。
【００９３】
ＨＯ＿ＩＮＦＯ＿ＴＹＰＥが「０１０」の場合、第３のフィールドは、ＲＵＰ＿ＳＩＧ＿ＣＯＵＮＴフィールド（たとえば、３ビット）とＲＵＰ＿ＳＩＧＮＡＴＵＲＥフィールド（たとえば、２１ビット）とを含む。ＲＵＰ＿ＳＩＧ＿ＣＯＵＮＴフィールドは、ＲＵＰ＿ＳＩＧＮＡＴＵＲＥフィールドの発生数に設定される。ＲＵＰ＿ＳＩＧＮＡＴＵＲＥフィールドは、別のＨＲＰＤアクセスネットワークから基地局に関連するＨＲＰＤアクセスネットワークへのハンドオフ中にルート更新メッセージ中に含まれるべきシグナチャに設定される。１５個のＭＳＢがＰｉｌｏｔＰＮＰｈａｓｅフィールド中で使用され、６つのＬＳＢがＰｉｌｏｔＳｔｒｅｎｇｔｈフィールド中で使用される。
【００９４】
本明細書の教示に従って実装されるシステムでは、様々な利点が達成され得る。重要なことには、マクロインフラストラクチャは、本明細書で教示するようにハンドオーバ（たとえば、フェムトセルへのアクティブハンドオーバ）をサポートするためにアップグレードされる必要はない。そうではなく、既存のデータベース構造（たとえば、ＰＮ位相およびセル識別子リスト）は、追加の割り振られたＰＮ位相、セル識別子などを含むようにのみ構成される必要がある。その上、現在の実際的システムの場合、多数の一意のシグナチャが作成され得ることにより（たとえば、２つ、３つ、４つ、またはより多くのＰＮオフセットをアクセスポイントのために割り当てることによって）正確なハンドオーバが常に達成され得る。また、たとえば、割り振られたＰＮオフセットグループのサイズが必要に応じて拡張され得るので、説明した技法はスケーラブルである。また、説明した技法は、フェムトコンバージェンスサーバおよびフェムトゲートウェイにおける比較的単純なアルゴリズムに関与する。
【００９５】
図１２に、本明細書で教示するようにアクセスポイント識別動作を実行するためにアクセス端末１２０２、アクセスポイント１２０４（たとえば、フェムトセル）、ネットワークエンティティ１２０６（たとえば、ＦＣＳまたはＦＧＷ）、およびネットワークエンティティ１２０８（たとえば、ＦＭＳ）などのノードに組み込まれ得るいくつかの例示的な構成要素を示す。実際には、説明する構成要素は、通信システム中の他のノードにも組み込まれ得る。たとえば、システム中の他のノードは、同様の割振り機能を与えるために、ネットワークエンティティ１２０８に関して説明する構成要素と同様の構成要素を含む。また、所与のノードは、説明する構成要素のうちの１つまたは複数を含み得る。たとえば、アクセスポイントは、アクセスポイントが複数の周波数上で動作し、および／または様々な技術によって通信することを可能にする、複数のトランシーバ構成要素を含む。
【００９６】
図１２に示すように、アクセス端末１２０２およびアクセスポイント１２０４は、それぞれ、他のノードと通信するためのトランシーバ１２１０および１２１２を含む。トランシーバ１２１０は、信号（たとえば、メッセージおよび報告）を送るための送信機１２１４と、信号（たとえば、パイロット信号およびメッセージ）を受信するための受信機１２１６とを含む。同様に、トランシーバ１２１２は、信号（たとえば、パイロット信号およびメッセージ）を送るための送信機１２１８と、信号（たとえば、メッセージ、インジケータおよび指示）を受信するための受信機１２２０とを含む。
【００９７】
アクセスポイント１２０４、ネットワークエンティティ１２０６、およびネットワークエンティティ１２０８は、それぞれ他のノード（たとえば、他のネットワークノード）と通信するためのネットワークインターフェース１２２２、１２２４、および１２２６を含む。たとえば、ネットワークインターフェース１２２２、１２２４、および１２２６は、ワイヤベースまたはワイヤレスバックホールを介して１つまたは複数のネットワークノードと通信するように構成される。いくつかの態様では、各ネットワークインターフェースは、ワイヤベースまたはワイヤレス通信をサポートするように構成されたトランシーバとして実装される。たとえば、ネットワークインターフェース１２２４は、（たとえば、メッセージを送るための）送信機構成要素１２２８と（たとえば、メッセージを受信するための）受信機構成要素１２３０とを含むものとして示されるが、ネットワークインターフェース１２２６は、（たとえば、メッセージを送るための）送信機構成要素１２３２と（たとえば、メッセージを受信するための）受信機構成要素１２３４とを含むものとして示される。
【００９８】
アクセス端末１２０２、アクセスポイント１２０４、ネットワークエンティティ１２０６、およびネットワークエンティティ１２０８は、本明細書で教示するアクセスポイント識別動作と連携して使用され得る他の構成要素をも含む。たとえば、アクセス端末１２０２は、パイロットシグナチャ関係動作（たとえば、パイロット報告を生成すること、パイロット位相値を決定すること、パイロットシグナチャを識別すること）を実行するための、また本明細書で教示する他の関係する機能を行うためのパイロットプロセッサ１２３６を含む。アクセスポイント１２０４は、パイロットシグナチャ関係動作（たとえば、パイロットシグナチャ関係指示を含むメッセージを生成すること、パイロット信号強度指示を定義すること）を実行するための、また本明細書で教示する他の関係する機能を行うためのパイロットプロセッサ１２３８を含む。ネットワークエンティティ１２０８は、パイロットシグナチャ関係動作（たとえば、パイロットシグナチャインジケータを割り振ること、パイロット信号強度指示を定義すること、２つ以上のパイロットシグナチャインジケータが割り振られるべきであることを決定すること、非割振りパイロットシグナチャを識別すること）を実行するための、また本明細書で教示する他の関係する機能を行うためのパイロットプロセッサ１２４０を含む。ネットワークエンティティ１２０６は、ハンドオーバ関係動作（たとえば、セル識別子マッピングを決定すること、パイロットシグナチャインジケータマッピングを決定すること、ハンドオーバターゲットを識別すること、ターゲットが複数のセル識別子から識別されるべきであることを決定すること）を実行するための、また本明細書で教示する他の関係する機能を行うためのハンドオーバコントローラ１２４２を含む。
【００９９】
いくつかの実装形態では、図１２の構成要素は、（たとえば、この機能を与えるために（１つまたは複数の）プロセッサによって使用される情報またはコードを記憶するためにデータメモリを使用し、および／または組み込む）１つまたは複数のプロセッサ中に実装され得る。たとえば、ブロック１２３６の機能（およびオプションでブロック１２１０の機能の一部）は、アクセス端末の１つまたは複数のプロセッサとアクセス端末のデータメモリとによって（たとえば、適切なコードの実行によっておよび／またはプロセッサ構成要素の適切な構成によって）実装され得る。同様に、ブロック１２３８の機能（およびオプションでブロック１２１２および／またはブロック１２２２の機能の一部）は、アクセスポイントの１つまたは複数のプロセッサとアクセスポイントのデータメモリとによって（たとえば、適切なコードの実行によっておよび／またはプロセッサ構成要素の適切な構成によって）実装され得る。ブロック１２４２の機能（およびオプションでブロック１２２４の機能の一部）は、ネットワークエンティティの１つまたは複数のプロセッサとネットワークエンティティのデータメモリとによって（たとえば、適切なコードの実行によっておよび／またはプロセッサ構成要素の適切な構成によって）実装され得る。ブロック１２４０の機能（およびオプションでブロック１２２６の機能の一部）は、ネットワークエンティティの１つまたは複数のプロセッサとネットワークエンティティのデータメモリとによって（たとえば、適切なコードの実行によっておよび／またはプロセッサ構成要素の適切な構成によって）実装され得る。
【０１００】
上記で説明したように、いくつかの態様では、本明細書の教示は、大規模カバレージ（たとえば、一般にマクロセルネットワークまたはＷＡＮと呼ばれる３Ｇネットワークなどの広域セルラーネットワーク）と、より小規模のカバレージ（たとえば、一般にＬＡＮと呼ばれるレジデンスベースまたは建築物ベースのネットワーク環境）とを含むネットワークにおいて採用され得る。アクセス端末（ＡＴ）がそのようなネットワーク中を移動するとき、アクセス端末は、いくつかのロケーションでは、マクロカバレージを与えるアクセスポイントによってサービスされ、他のロケーションでは、より小規模のカバレージを与えるアクセスポイントによってサービスされ得る。いくつかの態様では、より小さいカバレージノードを使用して、（たとえば、よりロバストなユーザエクスペリエンスのために）増分キャパシティの増大と、屋内カバレージと、様々なサービスとを与え得る。
【０１０１】
本明細書の説明では、比較的大きいエリアにわたるカバレージを与えるノード（たとえば、アクセスポイント）をマクロアクセスポイントと呼び、比較的小さいエリア（たとえば、住居）にわたるカバレージを与えるノードをフェムトアクセスポイントと呼ぶことがある。本明細書の教示は、他のタイプのカバレージエリアに関連付けられたノードに適用され得る場合があることを諒解されたい。たとえば、ピコアクセスポイントは、マクロエリアよりも小さく、フェムトエリアよりも大きいエリアにわたるカバレージ（たとえば、商業建築物内のカバレージ）を与え得る。様々な適用例では、マクロアクセスポイント、フェムトアクセスポイント、または他のアクセスポイントタイプのノードを指すために他の用語が使用され得る。たとえば、マクロアクセスポイントを、アクセスネットワーク、基地局、アクセスポイント、ｅノードＢ、マクロセルなどとして構成し、またはそのように呼ぶことがある。また、フェムトアクセスポイントを、ホームノードＢ、ホームｅノードＢ、アクセスポイント基地局、フェムトセルなどとして構成し、またはそのように呼ぶことがある。いくつかの実装形態では、ノードを１つまたは複数のセルまたはセクタに関連付け得る（たとえば、そのように呼ぶことがあり得るか、または分割し得る）。マクロアクセスポイント、フェムトアクセスポイント、またはピコアクセスポイントに関連付けられたセルまたはセクタを、それぞれ、マクロセル、フェムトセル、またはピコセルと呼ぶことがある。
【０１０２】
図１３に、本明細書の教示が実装され得る、何人かのユーザをサポートするように構成されたワイヤレス通信システム１３００を示す。システム１３００は、たとえば、マクロセル１３０２Ａ〜１３０２Ｇなど、複数のセル１３０２の通信を可能にし、各セルは、対応するアクセスポイント１３０４（たとえば、アクセスポイント１３０４Ａ〜１３０４Ｇ）によってサービスされる。図１３に示すように、アクセス端末１３０６（たとえば、アクセス端末１３０６Ａ〜１３０６Ｌ）は、時間とともにシステム全体にわたって様々なロケーションに分散され得る。各アクセス端末１３０６は、たとえば、アクセス端末１３０６がアクティブかどうか、およびアクセス端末１３０６がソフトハンドオフ中かどうかに応じて、所与の瞬間に順方向リンク（ＦＬ）および／または逆方向リンク（ＲＬ）上で１つまたは複数のアクセスポイント１３０４と通信し得る。ワイヤレス通信システム１３００は大きい地理的領域にわたってサービスを提供し得る。たとえば、マクロセル１３０２Ａ〜１３０２Ｇは、近隣内の数ブロックまたは地方環境の数マイルをカバーし得る。
【０１０３】
図１４に、１つまたは複数のフェムトアクセスポイントがネットワーク環境内に展開された例示的な通信システム１４００を示す。特に、システム１４００は、比較的小規模のネットワーク環境中に（たとえば、１つまたは複数のユーザレジデンス１４３０中に）設置された複数のフェムトアクセスポイント１４１０（たとえば、フェムトアクセスポイント１４１０Ａおよび１４１０Ｂ）を含む。各フェムトアクセスポイント１４１０は、ＤＳＬルータ、ケーブルモデム、ワイヤレスリンク、または他の接続手段（図示せず）を介して、ワイドエリアネットワーク１４４０（たとえば、インターネット）とモバイル事業者コアネットワーク１４５０とに結合され得る。以下で説明するように、各フェムトアクセスポイント１４１０は、関連するアクセス端末１４２０（たとえば、アクセス端末１４２０Ａ）、および、オプションで、他の（たとえば、ハイブリッドまたはエイリアン）アクセス端末１４２０（たとえば、アクセス端末１４２０Ｂ）にサービスするように構成され得る。言い換えれば、フェムトアクセスポイント１４１０へのアクセスは制限され得、それによって、所与のアクセス端末１４２０は、指定された（１つまたは複数の）（たとえば、ホーム）フェムトアクセスポイント１４１０のセットによってサービスされ得るが、指定されていないフェムトアクセスポイント１４１０（たとえば、隣接するフェムトアクセスポイント１４１０）によってサービスされ得ない。
【０１０４】
図１５に、いくつかの追跡（tracking）エリア１５０２（またはルーティングエリアまたはロケーションエリア）が定義されたカバレージマップ１５００の例を示し、そのエリアの各々はいくつかのマクロカバレージエリア１５０４を含む。ここで、追跡エリア１５０２Ａ、１５０２Ｂ、および１５０２Ｃに関連付けられたカバレージのエリアは太線によって示され、マクロカバレージエリア１５０４は大きい六角形によって表される。追跡エリア１５０２はフェムトカバレージエリア１５０６をも含む。この例では、フェムトカバレージエリア１５０６の各々（たとえば、フェムトカバレージエリア１５０６Ｂおよび１５０６Ｃ）は、１つまたは複数のマクロカバレージエリア１５０４（たとえば、マクロカバレージエリア１５０４Ａおよび１５０４Ｂ）内に示されている。ただし、フェムトカバレージエリア１５０６の一部または全部がマクロカバレージエリア１５０４内にない場合があることを諒解されたい。実際、多数のフェムトカバレージエリア１５０６（たとえば、フェムトカバレージエリア１５０６Ａおよび１５０６Ｄ）を所与の追跡エリア１５０２またはマクロカバレージエリア１５０４内に定義することができる。また、１つまたは複数のピコカバレージエリア（図示せず）は、所与の追跡エリア１５０２またはマクロカバレージエリア１５０４内に定義され得る。
【０１０５】
再び図１４を参照すると、フェムトアクセスポイント１４１０の所有者は、たとえば、３Ｇモバイルサービスなど、モバイル事業者コアネットワーク１４５０を介して提供されるモバイルサービスに加入し得る。さらに、アクセス端末１４２０は、マクロ環境と、より小規模の（たとえば、宅内）ネットワーク環境の両方で動作することが可能である。言い換えれば、アクセス端末１４２０の現在のロケーションに応じて、アクセス端末１４２０は、モバイル事業者コアネットワーク１４５０に関連付けられたマクロセルアクセスポイント１４６０によって、または、フェムトアクセスポイント１４１０のセットのいずれか１つ（たとえば、対応するユーザレジデンス１４３０内に常駐するフェムトアクセスポイント１４１０Ａおよび１４１０Ｂ）によってサービスされ得る。たとえば、加入者は、自宅の外にいるときは標準のマクロアクセスポイント（たとえば、アクセスポイント１４６０）によってサービスされ、自宅の中にいるときはフェムトアクセスポイント（たとえば、アクセスポイント１４１０Ａ）によってサービスされる。ここで、フェムトアクセスポイント１４１０は、レガシーアクセス端末１４２０と後方互換性があり得る。
【０１０６】
フェムトアクセスポイント１４１０は、単一の周波数上に展開され得、または代替として、複数の周波数上に展開され得る。特定の構成に応じて、単一の周波数、あるいは複数の周波数のうちの１つまたは複数は、マクロアクセスポイント（たとえば、アクセスポイント１４６０）によって使用される１つまたは複数の周波数と重なることがある。
【０１０７】
いくつかの態様では、アクセス端末１４２０は、そのような接続性が可能であるときはいつでも、好適なフェムトアクセスポイント（たとえば、アクセス端末１４２０のホームフェムトアクセスポイント）に接続するように構成され得る。たとえば、アクセス端末１４２０Ａがユーザのレジデンス１４３０内にあるときはいつでも、アクセス端末１４２０Ａがホームフェムトアクセスポイント１４１０Ａまたは１４１０Ｂのみと通信することが望ましいことがある。
【０１０８】
いくつかの態様では、アクセス端末１４２０がマクロセルラーネットワーク１４５０内で動作しているが、（たとえば、好適ローミングリスト中で定義された）その最も好適なネットワーク上に常駐していない場合、アクセス端末１４２０は、ベターシステムリセレクション（ＢＳＲ：better system reselection）手順を使用して、最も好適なネットワーク（たとえば、好適なフェムトアクセスポイント１４１０）を探索し続ける。ベターシステムリセレクションでは、より良好なシステムが現在利用可能であるかどうかを決定するために利用可能なシステムの周期的スキャニングを行い、その後、そのような好適なシステムを捕捉する。アクセス端末１４２０は、特定の帯域およびチャネルの探索を制限する。たとえば、１つまたは複数のフェムトチャネルが定義され、それにより、領域中のすべてのフェムトアクセスポイント（またはすべての制限付きフェムトアクセスポイント）は（１つまたは複数の）フェムトチャネル上で動作する。最も好適なシステムの探索が周期的に繰り返される。好適なフェムトアクセスポイント１４１０が発見されると、アクセス端末１４２０は、そのカバレージエリア内にあるときに使用するために、フェムトアクセスポイント１４１０を選択し、それに登録する。
【０１０９】
フェムトアクセスポイントへのアクセスは、いくつかの態様では、制限される。たとえば、所与のフェムトアクセスポイントは、いくつかのサービスをいくつかのアクセス端末のみに提供する。いわゆる制限（または限定）されたアクセスを用いた展開では、所与のアクセス端末は、マクロセルモバイルネットワークと、フェムトアクセスポイントの定義されたセット（たとえば、対応するユーザレジデンス１４３０内に常駐するフェムトアクセスポイント１４１０）とによってのみサービスされる。いくつかの実装形態では、アクセスポイントは、少なくとも１つのノード（たとえば、アクセス端末）にシグナリング、データアクセス、登録、ページング、またはサービスのうちの少なくとも１つを与えないように制限される。
【０１１０】
いくつかの態様では、（限定加入者グループホームノードＢ：Closed Subscriber Group Home NodeBと呼ばれることもある）制限付きフェムトアクセスポイントは、制限された供給されたアクセス端末のセットにサービスを提供するアクセスポイントである。このセットは、必要に応じて、一時的にまたは永続的に拡大され得る。いくつかの態様では、限定加入者グループ（ＣＳＧ）は、アクセス端末の共通のアクセス制御リストを共有するアクセスポイント（たとえば、フェムトアクセスポイント）のセットとして定義され得る。
【０１１１】
したがって、所与のフェムトアクセスポイントと所与のアクセス端末との間には様々な関係が存在し得る。たとえば、アクセス端末の観点から、オープンフェムトアクセスポイントは、無制限のアクセスをもつフェムトアクセスポイントを指すことがある（たとえば、そのフェムトアクセスポイントはすべてのアクセス端末へのアクセスを許可する）。制限付きフェムトアクセスポイントは、何らかの形で制限された（たとえば、アクセスおよび／または登録について制限された）フェムトアクセスポイントを指すことがある。ホームフェムトアクセスポイントは、アクセス端末がアクセスし、その上で動作することを許可される（たとえば、永続的なアクセスが、１つまたは複数のアクセス端末の定義されたセットに与えられる）フェムトアクセスポイントを指すことがある。ハイブリッド（またはゲスト）フェムトアクセスポイントは、異なるアクセス端末が異なるサービスレベルを提供される（たとえば、あるアクセス端末では、部分的なアクセスおよび／または一時的アクセスが許可されるが、他のアクセス端末ではフルアクセスが許可される）フェムトアクセスポイントを指すことがある。エイリアンフェムトアクセスポイントは、おそらく非常事態（たとえば、９１１番）を除いて、アクセス端末がアクセスし、またはその上で動作することを許可されないフェムトアクセスポイントを指すことがある。
【０１１２】
制限付きフェムトアクセスポイントの観点から、ホームアクセス端末は、そのアクセス端末の所有者の住居中に設置された制限付きフェムトアクセスポイントへのアクセスを許可されるアクセス端末を指すことがある（通常、ホームアクセス端末は、そのフェムトアクセスポイントへの永続的なアクセスを有する）。ゲストアクセス端末は、（たとえば、最終期限、使用時間、バイト、接続回数、または何らかの他の１つまたは複数の基準に基づいて制限された）制限付きフェムトアクセスポイントへの一時的アクセスをもつアクセス端末を指すことがある。エイリアンアクセス端末は、たとえば、おそらく９１１番などの非常事態を除いて、制限付きフェムトアクセスポイントへのアクセスが許可されていないアクセス端末（たとえば、制限付きフェムトアクセスポイントに登録するための証明書または許可を有していないアクセス端末）を指すことがある。
【０１１３】
便宜のために、本明細書の開示では、フェムトアクセスポイントの文脈で様々な機能について説明する。ただし、ピコアクセスポイントは、同じまたは同様の機能をより大きいカバレージエリアに与え得ることを諒解されたい。たとえば、所与のアクセス端末に対して、ピコアクセスポイントが制限され得、ホームピコアクセスポイントが定義され得る。
【０１１４】
本明細書の教示は、複数のワイヤレスアクセス端末のための通信を同時にサポートするワイヤレス多元接続通信システムにおいて採用され得る。ここで、各端末は、順方向リンクおよび逆方向リンク上の送信を介して１つまたは複数のアクセスポイントと通信し得る。順方向リンク（すなわち、ダウンリンク）は、アクセスポイントから端末への通信リンクを指し、逆方向リンク（すなわち、アップリンク）は、端末からアクセスポイントへの通信リンクを指す。この通信リンクは、単入力単出力システム、多入力多出力（ＭＩＭＯ）システム、または何らかの他のタイプのシステムを介して確立される。
【０１１５】
ＭＩＭＯシステムは、データ伝送のために複数（ＮT）個の送信アンテナと複数（ＮR）個の受信アンテナとを使用する。ＮT個の送信アンテナとＮR個の受信アンテナとによって形成されるＭＩＭＯチャネルは、空間チャネルとも呼ばれるＮS個の独立チャネルに分解され得、ここで、ＮS≦ｍｉｎ｛ＮT，ＮR｝である。ＮS個の独立チャネルの各々は１つの次元に対応する。複数の送信アンテナおよび受信アンテナによって生じる追加の次元数が利用された場合、ＭＩＭＯシステムは改善されたパフォーマンス（たとえば、より高いスループットおよび／またはより大きい信頼性）を与え得る。
【０１１６】
ＭＩＭＯシステムは時分割複信（ＴＤＤ）および周波数分割複信（ＦＤＤ）をサポートする。ＴＤＤシステムでは、順方向および逆方向リンク伝送が同一周波数領域上で行われるので、相反定理による逆方向リンクチャネルからの順方向リンクチャネルの推定が可能である。これにより、複数のアンテナがアクセスポイントで利用可能なとき、アクセスポイントは順方向リンク上で送信ビームフォーミング利得を抽出することが可能になる。
【０１１７】
図１６に、例示的なＭＩＭＯシステム１６００のワイヤレスデバイス１６１０（たとえば、アクセスポイント）およびワイヤレスデバイス１６５０（たとえば、アクセス端末）を示す。デバイス１６１０では、いくつかのデータストリームのトラフィックデータが、データソース１６１２から送信（ＴＸ）データプロセッサ１６１４に供給される。各データストリームは、次いで、それぞれの送信アンテナを介して送信される。
【０１１８】
ＴＸデータプロセッサ１６１４は、各データストリームについて、そのデータストリーム用に選択された特定の符号化方式に基づいて、トラフィックデータをフォーマット、符号化、インターリーブして、符号化データを与える。各データストリームの符号化データは、ＯＦＤＭ技法を使用してパイロットデータで多重化される。パイロットデータは、典型的には、既知の方法で処理され、チャネル応答を推定するために受信機システムにおいて使用される既知のデータパターンである。次いで、各データストリームの多重化されたパイロットデータおよび符号化データは、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）されて、変調シンボルを供給する。各データストリームのデータレート、符号化、および変調は、プロセッサ１６３０によって実行される命令によって決定される。データメモリ１６３２は、プロセッサ１６３０またはデバイス１６１０の他の構成要素によって使用されるプログラムコード、データ、および他の情報を記憶する。
【０１１９】
次いで、すべてのデータストリームの変調シンボルがＴＸ  ＭＩＭＯプロセッサ１６２０に供給され、ＴＸ  ＭＩＭＯプロセッサ１６２０はさらに（たとえば、ＯＦＤＭ用に）その変調シンボルを処理する。次いで、ＴＸ  ＭＩＭＯプロセッサ１６２０は、ＮT個の変調シンボルストリームをＮT個のトランシーバ（ＸＣＶＲ）１６２２Ａ〜１６２２Ｔに供給する。いくつかの態様では、ＴＸ  ＭＩＭＯプロセッサ１６２０は、データストリームのシンボルと、シンボルの送信元のアンテナとにビームフォーミング重みを付加する。
【０１２０】
各トランシーバ１６２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した変調信号を供給する。次いで、トランシーバ１６２２Ａ〜１６２２ＴからのＮT個の変調信号はそれぞれ、ＮT個のアンテナ１６２４Ａ〜１６２４Ｔから送信される。
【０１２１】
デバイス１６５０では、送信された変調信号はＮR個のアンテナ１６５２Ａ〜１６５２Ｒによって受信され、各アンテナ１６５２からの受信信号は、それぞれのトランシーバ（ＸＣＶＲ）１６５４Ａ〜１６５４Ｒに供給される。各トランシーバ１６５４は、それぞれの受信信号を調整（たとえば、フィルタリング、増幅、およびダウンコンバート）し、調整された信号をデジタル化して、サンプルを供給し、さらにそれらのサンプルを処理して、対応する「受信」シンボルストリームを供給する。
【０１２２】
次いで、受信（ＲＸ）データプロセッサ１６６０は、特定の受信機処理技法に基づいてＮR個のトランシーバ１６５４からＮR個の受信シンボルストリームを受信し、処理して、ＮT個の「検出」シンボルストリームを供給する。次いで、ＲＸデータプロセッサ１６６０は、各検出シンボルストリームを復調し、デインターリーブし、復号して、データストリームに対するトラフィックデータを復元する。ＲＸデータプロセッサ１６６０による処理は、デバイス１６１０におけるＴＸ  ＭＩＭＯプロセッサ１６２０およびＴＸデータプロセッサ１６１４によって実行される処理を補足するものである。
【０１２３】
プロセッサ１６７０は、どのプリコーディング行列を使用すべきかを周期的に決定する（後述）。プロセッサ１６７０は、行列インデックス部とランク値部とを備える逆方向リンクメッセージを作成する。データメモリ１６７２は、プロセッサ１６７０またはデバイス１６５０の他の構成要素によって使用されるプログラムコード、データ、および他の情報を記憶する。
【０１２４】
逆方向リンクメッセージは、通信リンクおよび／または受信データストリームに関する様々なタイプの情報を備える。次いで、逆方向リンクメッセージは、データソース１６３６からいくつかのデータストリームのトラフィックデータをも受信するＴＸデータプロセッサ１６３８によって処理され、変調器１６８０によって変調され、トランシーバ１６５４Ａ〜１６５４Ｒによって調整され、デバイス１６１０に戻される。
【０１２５】
デバイス１６１０では、デバイス１６５０からの変調信号は、アンテナ１６２４によって受信され、トランシーバ１６２２によって調整され、復調器（ＤＥＭＯＤ）１６４０によって復調され、ＲＸデータプロセッサ１６４２によって処理されて、デバイス１６５０によって送信された逆方向リンクメッセージが抽出される。次いで、プロセッサ１６３０は、ビームフォーミング重みを決定するためにどのプリコーディング行列を使用すべきかを決定し、次いで、抽出されたメッセージを処理する。
【０１２６】
図１６はまた、通信構成要素が、本明細書で教示するパイロット制御動作を実行する１つまたは複数の構成要素を含むことができることを示す。たとえば、パイロット制御構成要素１６９０は、デバイス１６１０のプロセッサ１６３０および／または他の構成要素と協働して、本明細書で教示するように、別のデバイス（たとえば、デバイス１６５０）からパイロット関係信号を受信し、パイロット報告を送信する。同様に、パイロット制御構成要素１６９２は、デバイス１６５０のプロセッサ１６７０および／または他の構成要素と協働して、本明細書で教示するように、パイロット信号を別のデバイス（たとえば、デバイス１６１０）に送り、別のデバイスから構成情報を受信する。各デバイス１６１０および１６５０について、説明する構成要素の２つ以上の機能が単一の構成要素によって提供され得ることを諒解されたい。たとえば、単一の処理構成要素がパイロット制御構成要素１６９０およびプロセッサ１６３０の機能を提供し得、また、単一の処理構成要素がパイロット制御構成要素１６９２およびプロセッサ１６７０の機能を提供し得る。
【０１２７】
本明細書の教示は、様々なタイプの通信システムおよび／またはシステム構成要素に組み込まれ得る。いくつかの態様では、本明細書の教示は、利用可能なシステムリソースを共有することによって（たとえば、帯域幅、送信電力、符号化、インターリーブなどのうちの１つまたは複数を指定することによって）、複数のユーザとの通信をサポートすることが可能な多元接続システムにおいて採用され得る。たとえば、本明細書の教示は、符号分割多元接続（ＣＤＭＡ）システム、多重キャリアＣＤＭＡ（ＭＣＣＤＭＡ）、広帯域ＣＤＭＡ（Ｗ−ＣＤＭＡ）、高速パケットアクセス（ＨＳＰＡ、ＨＳＰＡ＋）システム、時間分割多元接続（ＴＤＭＡ）システム、周波数分割多元接続（ＦＤＭＡ）システム、シングルキャリアＦＤＭＡ（ＳＣ−ＦＤＭＡ）システム、直交周波数分割多元接続（ＯＦＤＭＡ）システム、または他の多元接続技法の技術のいずれか１つまたは組合せに適用され得る。本明細書の教示を採用するワイヤレス通信システムは、ＩＳ−９５、ｃｄｍａ２０００、ＩＳ−８５６、Ｗ−ＣＤＭＡ、ＴＤＳＣＤＭＡ、および他の規格など、１つまたは複数の規格を実装するように設計され得る。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００、または何らかの他の技術などの無線技術を実装し得る。ＵＴＲＡは、Ｗ−ＣＤＭＡおよび低チップレート（ＬＣＲ）を含む。ｃｄｍａ２０００技術は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装し得る。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装し得る。ＵＴＲＡ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。本明細書の教示は、３ＧＰＰ  Ｌｏｎｇ  Ｔｅｒｍ  Ｅｖｏｌｕｔｉｏｎ（ＬＴＥ）システム、Ｕｌｔｒａ  Ｍｏｂｉｌｅ  Ｂｒｏａｄｂａｎｄ（ＵＭＢ）システム、および他のタイプのシステムで実装され得る。ＬＴＥは、Ｅ−ＵＴＲＡを使用するＵＭＴＳのリリースである。ＵＴＲＡ、Ｅ−ＵＴＲＡ、ＧＳＭ、ＵＭＴＳおよびＬＴＥは、「３ｒｄ  Ｇｅｎｅｒａｔｉｏｎ  Ｐａｒｔｎｅｒｓｈｉｐ  Ｐｒｏｊｅｃｔ」（３ＧＰＰ）と呼ばれる組織からの文書に記載されており、ｃｄｍａ２０００は、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と呼ばれる組織からの文書に記載されている。本開示のいくつかの態様については、３ＧＰＰ用語を使用して説明するが、本明細書の教示は、３ＧＰＰ（たとえば、Ｒｅｌ９９、Ｒｅｌ５、Ｒｅｌ６、Ｒｅｌ７）技術、ならびに３ＧＰＰ２（たとえば、１ｘＲＴＴ、１ｘＥＶ−ＤＯ  ＲｅｌＯ、ＲｅｖＡ、ＲｅｖＢ）技術および他の技術に適用され得ることを理解されたい。
【０１２８】
本明細書の教示は、様々な装置（たとえば、ノード）に組み込まれ得る（たとえば、装置内に実装され得る、または装置によって実行され得る）。いくつかの態様では、本明細書の教示に従って実装されるノード（たとえば、ワイヤレスノード）はアクセスポイントまたはアクセス端末を備え得る。
【０１２９】
たとえば、アクセス端末は、ユーザ機器、加入者局、加入者ユニット、移動局、モバイル、モバイルノード、リモート局、リモート端末、ユーザ端末、ユーザエージェント、ユーザデバイス、または何らかの他の用語を備えるか、それらのいずれかとして実装されるか、あるいはそれらのいずれかとして知られることがある。いくつかの実装形態では、アクセス端末は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続能力を有するハンドヘルドデバイス、またはワイヤレスモデムに接続された何らかの他の好適な処理デバイスを備え得る。したがって、本明細書で教示する１つまたは複数の態様は、電話（たとえば、セルラー電話またはスマートフォン）、コンピュータ（たとえば、ラップトップ）、携帯型通信デバイス、携帯型コンピューティングデバイス（たとえば、個人情報端末）、娯楽デバイス（たとえば、音楽デバイス、ビデオデバイス、または衛星ラジオ）、全地球測位システムデバイス、あるいはワイヤレス媒体を介して通信するように構成された他の好適なデバイスに組み込まれ得る。
【０１３０】
アクセスポイントは、ノードＢ、ｅノードＢ、無線ネットワークコントローラ（ＲＮＣ）、基地局（ＢＳ）、無線基地局（ＲＢＳ）、基地局コントローラ（ＢＳＣ）、送受信基地局（ＢＴＳ）、トランシーバ機能（ＴＦ）、無線トランシーバ、無線ルータ、基本サービスセット（ＢＳＳ）、拡張サービスセット（ＥＳＳ）、マクロセル、マクロノード、ホームｅＮＢ（ＨｅＮＢ）、フェムトセル、フェムトノード、ピコノード、または何らかの他の同様の用語を備えるか、それらのいずれかとして実装されるか、あるいはそれらのいずれかとして知られることがある。
【０１３１】
いくつかの態様では、ノード（たとえば、アクセスポイント）は、通信システムのためのアクセスノードを備え得る。そのようなアクセスノードは、たとえば、ネットワークへのワイヤードまたはワイヤレス通信リンクを介した、ネットワーク（たとえば、インターネットまたはセルラーネットワークなどワイドエリアネットワーク）のための、またはネットワークへの接続性を与え得る。したがって、アクセスノードは、別のノード（たとえば、アクセス端末）がネットワークまたは何らかの他の機能にアクセスできるようにし得る。さらに、一方または両方のノードはポータブルでも、場合によっては比較的非ポータブルでもよいことを諒解されたい。
【０１３２】
また、ワイヤレスノードは、非ワイヤレス方式で（たとえば、ワイヤード接続を介して）情報を送信および／または受信することが可能であり得ることを諒解されたい。したがって、本明細書で説明する受信機および送信機は、非ワイヤレス媒体を介して通信するために適切な通信インターフェース構成要素（たとえば、電気的または光学的インターフェース構成要素）を含み得る。
【０１３３】
ワイヤレスノードは、好適なワイヤレス通信技術に基づくあるいはサポートする１つまたは複数のワイヤレス通信リンクを介して通信し得る。たとえば、いくつかの態様では、ワイヤレスノードはネットワークに関連し得る。いくつかの態様では、ネットワークはローカルエリアネットワークまたはワイドエリアネットワークを備え得る。ワイヤレスデバイスは、本明細書で説明する様々なワイヤレス通信技術、プロトコル、または規格（たとえば、ＣＤＭＡ、ＴＤＭＡ、ＯＦＤＭ、ＯＦＤＭＡ、ＷｉＭＡＸ、Ｗｉ−Ｆｉなど）のうちの１つまたは複数をサポートまたは使用し得る。同様に、ワイヤレスノードは、様々な対応する変調方式または多重化方式のうちの１つまたは複数をサポートまたは使用し得る。したがって、ワイヤレスノードは、上記または他のワイヤレス通信技術を使用して１つまたは複数のワイヤレス通信リンクを確立し、それを介して通信するために適切な構成要素（たとえば、エアインターフェース）を含み得る。たとえば、ワイヤレスノードは、ワイヤレス媒体上の通信を可能にする様々な構成要素（たとえば、信号発生器および信号処理器）を含み得る関連する送信機構成要素と受信機構成要素とをもつワイヤレストランシーバを備え得る。
【０１３４】
（たとえば、添付の図の１つまたは複数に関して）本明細書で説明する機能は、いくつかの態様では、添付の特許請求の範囲において同様に指定された「手段」機能に対応し得る。図１７〜図２１を参照すると、装置１７００、１８００、１９００、２０００、および２１００は一連の相互に関連する機能モジュールとして表される。ここで、受信モジュール１７０２は、少なくともいくつかの態様では、たとえば、本明細書で説明する受信機に対応し得る。パイロット報告生成モジュール１７０４は、少なくともいくつかの態様では、たとえば、本明細書で説明するパイロットプロセッサに対応し得る。パイロット報告送信モジュール１７０６は、少なくともいくつかの態様では、たとえば、本明細書で説明する送信機に対応し得る。パイロット位相値決定モジュール１７０８は、少なくともいくつかの態様では、たとえば、本明細書で説明するパイロットプロセッサに対応し得る。パイロット信号受信モジュール１７１０は、少なくともいくつかの態様では、たとえば、本明細書で説明する受信機に対応し得る。パイロットシグナチャ識別モジュール１７１２は、少なくともいくつかの態様では、たとえば、本明細書で説明するパイロットプロセッサに対応し得る。パイロットシグナチャインジケータ受信モジュール１８０２は、少なくともいくつかの態様では、たとえば、本明細書で説明する受信機に対応し得る。パイロット信号送信モジュール１８０４は、少なくともいくつかの態様では、たとえば、本明細書で説明する送信機に対応し得る。メッセージ生成モジュール１８０６は、少なくともいくつかの態様では、たとえば、本明細書で説明するパイロットプロセッサに対応し得る。メッセージ送信モジュール１８０８は、少なくともいくつかの態様では、たとえば、本明細書で説明する送信機に対応し得る。パイロット信号強度指示定義モジュール１８１０は、少なくともいくつかの態様では、たとえば、本明細書で説明するパイロットプロセッサに対応し得る。パイロット信号強度指示受信モジュール１８１２は、少なくともいくつかの態様では、たとえば、本明細書で説明する受信機に対応し得る。メッセージ受信モジュール１９０２は、少なくともいくつかの態様では、たとえば、本明細書で説明する受信機に対応し得る。セル識別子マッピング決定モジュール１９０４は、少なくともいくつかの態様では、たとえば、本明細書で説明するハンドオーバコントローラに対応し得る。ハンドオーバターゲット識別モジュール１９０６は、少なくともいくつかの態様では、たとえば、本明細書で説明するハンドオーバコントローラに対応し得る。複数のセル識別子から識別されるターゲットを決定するモジュール１９０８は、少なくともいくつかの態様では、たとえば、本明細書で説明するハンドオーバコントローラに対応し得る。メッセージ受信モジュール２００２は、少なくともいくつかの態様では、たとえば、本明細書で説明する受信機に対応し得る。パイロットシグナチャインジケータマッピング決定モジュール２００４は、少なくともいくつかの態様では、たとえば、本明細書で説明するハンドオーバコントローラに対応し得る。ハンドオーバターゲット識別モジュール２００６は、少なくともいくつかの態様では、たとえば、本明細書で説明するハンドオーバコントローラに対応し得る。複数のセル識別子から識別されるターゲットを決定するモジュール２００８は、少なくともいくつかの態様では、たとえば、本明細書で説明するハンドオーバコントローラに対応し得る。パイロットシグナチャインジケータ割振りモジュール２１０２は、少なくともいくつかの態様では、たとえば、本明細書で説明するパイロットプロセッサに対応し得る。メッセージ送信モジュール２１０４は、少なくともいくつかの態様では、たとえば、本明細書で説明する送信機に対応し得る。パイロット信号強度指示定義モジュール２１０６は、少なくともいくつかの態様では、たとえば、本明細書で説明するパイロットプロセッサに対応し得る。２つ以上のパイロットシグナチャインジケータ決定モジュール２１０８は、少なくともいくつかの態様では、たとえば、本明細書で説明するパイロットプロセッサに対応し得る。非割振りパイロットシグナチャ識別モジュール２１１０は、少なくともいくつかの態様では、たとえば、本明細書で説明するパイロットプロセッサに対応し得る。
【０１３５】
図１７〜図２１のモジュールの機能は、本明細書の教示に合致する様々な方法で実装され得る。いくつかの態様では、これらのモジュールの機能は、１つまたは複数の電気構成要素として実装され得る。いくつかの態様では、これらのブロックの機能は、１つまたは複数のプロセッサ構成要素を含む処理システムとして実装され得る。いくつかの態様では、これらのモジュールの機能は、たとえば、１つまたは複数の集積回路（たとえば、ＡＳＩＣ）の少なくとも一部を使用して実装され得る。本明細書で説明するように、集積回路は、プロセッサ、ソフトウェア、他の関係する構成要素、またはそれらの何らかの組合せを含み得る。これらのモジュールの機能はまた、本明細書で教示する方法とは別の何らかの方法で実装され得る。いくつかの態様では、図１７〜図２１中の破線ブロックのうちの１つまたは複数はオプションである。
【０１３６】
本明細書における「第１」、「第２」などの名称を使用した要素への言及は、それらの要素の数量または順序を概括的に限定するものでないことを理解されたい。むしろ、これらの名称は、本明細書において２つ以上の要素またはある要素の複数の例を区別する便利な方法として使用され得る。したがって、第１および第２の要素への言及は、そこで２つの要素のみが採用され得ること、または第１の要素が何らかの方法で第２の要素に先行しなければならないことを意味するものではない。また、別段の規定がない限り、要素のセットは１つまたは複数の要素を備え得る。さらに、明細書または特許請求の範囲において使用される「Ａ、Ｂ、またはＣのうちの少なくとも１つ」という形式の用語は、「ＡまたはＢまたはＣ、あるいはこれらの要素の任意の組合せ」を意味する。
【０１３７】
情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１３８】
さらに、本明細書で開示された態様に関して説明した様々な例示的な論理ブロック、モジュール、プロセッサ、手段、回路、およびアルゴリズムステップのいずれかは、電子ハードウェア（たとえば、ソースコーディングまたは何らかの他の技法を使用して設計され得る、デジタル実装形態、アナログ実装形態、またはそれら２つの組合せ）、命令を組み込んだ様々な形態のプログラムまたは設計コード（便宜上、本明細書では「ソフトウェア」または「ソフトウェアモジュール」と呼ぶことがある）、あるいは両方の組合せとして実装され得ることを当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈すべきではない。
【０１３９】
本明細書で開示した態様に関して説明した様々な例示的な論理ブロック、モジュール、および回路は、集積回路（ＩＣ）、アクセス端末、またはアクセスポイント内に実装され得るか、またはそれらによって実行され得る。ＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、電気構成要素、光学構成要素、機械構成要素、あるいは本明細書で説明した機能を実行するように設計されたそれらの任意の組合せを備え得、ＩＣの内部に、ＩＣの外側に、またはその両方に常駐するコードまたは命令を実行し得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１４０】
開示されたプロセス中のステップの特定の順序または階層は例示的な手法の一例であることを理解されたい。設計の選好に基づいて、プロセス中のステップの特定の順序または階層は本開示の範囲内のまま再構成され得ることを理解されたい。添付の方法クレームは、様々なステップの要素を例示的な順序で提示したものであり、提示された特定の順序または階層に限定されるものではない。
【０１４１】
１つまたは複数の例示的な実施形態では、説明した機能はハードウェア、ソフトウェア、ファームウェア、またはそれらの任意の組合せで実装され得る。ソフトウェアで実装した場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。コンピュータ可読媒体は任意の好適なコンピュータプログラム製品に実装され得ることを諒解されたい。
【０１４２】
開示した態様の前述の説明は、当業者が本開示を実施または使用できるようにするために提供されるものである。これらの態様への様々な修正は当業者にはすぐに明らかになり、本明細書で定義した一般原理は本開示の範囲から逸脱することなく他の態様に適用され得る。したがって、本開示は、本明細書で示した態様に限定されるものではなく、本明細書で開示した原理および新規の特徴に一致する最も広い範囲を与えられるべきである。
以下に本願発明の当初の特許請求の範囲に記載された発明を付記する。
［Ｃ１］
アクセス端末のハンドオーバのためのメッセージを受信することと、前記メッセージは複数のセル識別子を含み、
複数のアクセスポイントのためのセル識別子マッピングを決定することと、前記マッピングは、前記複数のアクセスポイントのうちの異なるアクセスポイントを少なくとも２つのセル識別子の異なるセットにマッピングし、
前記マッピングと前記メッセージ中に含まれる前記複数のセル識別子とに基づいて、前記ハンドオーバのためのターゲットとして前記複数のアクセスポイントのうちの１つを識別することと、
を備える通信の方法。
［Ｃ２］
前記メッセージ中に含まれる前記複数のセル識別子のうちの少なくとも１つは、ワイヤレスネットワークのエリアに関連するいかなるアクセスポイントによってもパイロットスクランブリング使用のために現在割り振られていない少なくとも１つのパイロットシグナチャを示す、Ｃ１記載の方法。
［Ｃ３］
前記エリアはモバイル交換センターに関連する、Ｃ２記載の方法。
［Ｃ４］
前記ハンドオーバのための前記ターゲットは、前記メッセージ中に含まれる前記複数のセル識別子から識別されるべきであると決定すること、をさらに備え、前記決定は、前記メッセージ中に含まれる前記複数のセル識別子のうちの１つのセル識別子の値に基づく、Ｃ１記載の方法。
［Ｃ５］
前記値は、前記１つのセル識別子は、ワイヤレスネットワークのエリアに関連するいかなるアクセスポイントによってもパイロットスクランブリング使用のために現在割り振られていないパイロットシグナチャに関連することを示す、Ｃ４記載の方法。
［Ｃ６］
前記値は、前記１つのセル識別子がフェムトセルに関連することを示す、Ｃ４記載の方法。
［Ｃ７］
前記メッセージは、前記セル識別子に関連するパイロット信号強度情報をさらに含み、
前記識別は前記パイロット信号強度情報にさらに基づく、Ｃ１記載の方法。
［Ｃ８］
前記識別は、フェムトコンバージェンスサーバまたはフェムトセルゲートウェイにおいて実行される、Ｃ１記載の方法。
［Ｃ９］
アクセス端末のハンドオーバのためのメッセージを受信する受信機と、前記メッセージは複数のセル識別子を含み、
複数のアクセスポイントのためのセル識別子マッピングを決定するハンドオーバコントローラと、
を備え、
前記マッピングは、前記複数のアクセスポイントのうちの異なるアクセスポイントを少なくとも２つのセル識別子の異なるセットにマッピングし、
前記ハンドオーバコントローラは、さらに、前記マッピングと前記メッセージ中に含まれる前記複数のセル識別子とに基づいて、前記ハンドオーバのためのターゲットとして前記複数のアクセスポイントのうちの１つを識別する、
通信のための装置。
［Ｃ１０］
前記メッセージ中に含まれる前記セル識別子のうちの少なくとも１つは、ワイヤレスネットワークのエリアに関連するいかなるアクセスポイントによってもパイロットスクランブリング使用のために現在割り振られていない少なくとも１つのパイロットシグナチャを示す、Ｃ９記載の装置。
［Ｃ１１］
前記ハンドオーバコントローラは、さらに、前記ハンドオーバのための前記ターゲットが、前記メッセージ中に含まれる前記複数のセル識別子から識別されるべきであると決定し、
前記決定は、前記メッセージ中に含まれる前記複数のセル識別子のうちの１つのセル識別子の値に基づく、Ｃ９記載の装置。
［Ｃ１２］
アクセス端末のハンドオーバのためのメッセージを受信する手段と、前記メッセージは複数のセル識別子を含み、
複数のアクセスポイントのためのセル識別子マッピングを決定する手段と、前記マッピングは、前記複数のアクセスポイントのうちの異なるアクセスポイントを少なくとも２つのセル識別子の異なるセットにマッピングし、
前記マッピングと前記メッセージ中に含まれる前記複数のセル識別子とに基づいて、前記ハンドオーバのためのターゲットとして前記複数のアクセスポイントのうちの１つを識別する手段と、
を備える通信のための装置。
［Ｃ１３］
前記メッセージ中に含まれる前記複数のセル識別子のうちの少なくとも１つは、ワイヤレスネットワークのエリアに関連するいかなるアクセスポイントによってもパイロットスクランブリング使用のために現在割り振られていない少なくとも１つのパイロットシグナチャを示す、Ｃ１２記載の装置。
［Ｃ１４］
前記ハンドオーバのための前記ターゲットは、前記メッセージ中に含まれる前記複数のセル識別子から識別されるべきであると決定する手段、をさらに備え、前記決定は、前記メッセージ中に含まれる前記複数のセル識別子のうちの１つのセル識別子の値に基づく、Ｃ１２記載の装置。
［Ｃ１５］
コンピュータに、
アクセス端末のハンドオーバのためのメッセージを受信することと、前記メッセージは複数のセル識別子を含み、
複数のアクセスポイントのためのセル識別子マッピングを決定することと、前記マッピングは、前記複数のアクセスポイントのうちの異なるアクセスポイントを少なくとも２つのセル識別子の異なるセットにマッピングし、
前記マッピングと前記メッセージ中に含まれる前記複数のセル識別子とに基づいて、前記ハンドオーバのためのターゲットとして前記複数のクセスポイントのうちの１つを識別することと、
を行わせるためのコードを備えるコンピュータ可読媒体を備える、コンピュータプログラム製品。
［Ｃ１６］
前記メッセージ中に含まれる前記複数のセル識別子のうちの少なくとも１つは、ワイヤレスネットワークのエリアに関連するいかなるアクセスポイントによってもパイロットスクランブリング使用のために現在割り振られていない少なくとも１つのパイロットシグナチャを示す、Ｃ１５記載のコンピュータプログラム製品。
［Ｃ１７］
前記コンピュータ可読媒体は、前記コンピュータに、前記ハンドオーバのための前記ターゲットが、前記メッセージ中に含まれる前記複数のセル識別子から識別されるべきであると決定させるためのコードをさらに備え、
前記決定は、前記メッセージ中に含まれる前記複数のセル識別子のうちの１つのセル識別子の値に基づく、
Ｃ１５記載のコンピュータプログラム製品。
［Ｃ１８］
アクセス端末のハンドオーバのためのメッセージを受信することと、前記メッセージは複数のパイロットシグナチャインジケータを含み、
複数のアクセスポイントのためのパイロットシグナチャインジケータマッピングを決定することと、前記マッピングは、前記複数のアクセスポイントのうちの異なるアクセスポイントを少なくとも２つのパイロットシグナチャインジケータの異なるセットにマッピングし、
前記マッピングと前記メッセージ中に含まれる前記複数のパイロットシグナチャインジケータとに基づいて、前記ハンドオーバのためのターゲットとして前記複数のアクセスポイントのうちの１つを識別することと、
を備える通信の方法。
［Ｃ１９］
前記パイロットシグナチャインジケータは擬似ランダム雑音（ＰＮ）位相値を備える、Ｃ１８記載の方法。
［Ｃ２０］
前記メッセージ中に含まれる前記複数のパイロットシグナチャインジケータのうちの少なくとも１つは、ワイヤレスネットワークのエリアに関連するいかなるアクセスポイントによってもパイロットスクランブリング使用のために現在割り振られていない少なくとも１つのパイロットシグナチャを示す、Ｃ１８記載の方法。
［Ｃ２１］
前記エリアはアクセスネットワークまたはフェムトセルゲートウェイに関連する、Ｃ２０記載の方法。
［Ｃ２２］
前記ハンドオーバのための前記ターゲットは、前記メッセージ中に含まれる前記複数のパイロットシグナチャインジケータから識別されるべきであると決定すること、をさらに備え、前記決定は、前記メッセージ中に含まれる前記複数のパイロットシグナチャインジケータのうちの１つのパイロットシグナチャインジケータの値に基づく、Ｃ１８記載の方法。
［Ｃ２３］
前記値は、前記１つのパイロットシグナチャインジケータが、ワイヤレスネットワークのエリアに関連するいかなるアクセスポイントによってもパイロットスクランブリング使用のために現在割り振られていないパイロットシグナチャに関連することを示す、Ｃ２２記載の方法。
［Ｃ２４］
前記値は、前記１つのパイロットシグナチャインジケータがフェムトセルに関連することを示す、Ｃ２２記載の方法。
［Ｃ２５］
前記メッセージは、前記セル識別子に関連するパイロット信号強度情報をさらに含み、
前記識別は前記パイロット信号強度情報にさらに基づく、Ｃ１８記載の方法。
［Ｃ２６］
前記識別は、前記ターゲットアクセスネットワークまたはフェムトセルゲートウェイにおいて実行される、Ｃ１８記載の方法。
［Ｃ２７］
アクセス端末のハンドオーバのためのメッセージを受信する受信機と、前記メッセージは複数のパイロットシグナチャインジケータを含み、
複数のアクセスポイントのためのパイロットシグナチャインジケータマッピングを決定するハンドオーバコントローラと、
を備え、
前記マッピングは、前記複数のアクセスポイントのうちの異なるアクセスポイントを少なくとも２つのパイロットシグナチャインジケータマッピングの異なるセットにマッピングし、
前記ハンドオーバコントローラは、さらに、前記マッピングと前記メッセージ中に含まれる前記複数のパイロットシグナチャインジケータとに基づいて、前記ハンドオーバのためのターゲットとして前記アクセスポイントのうちの１つを識別する、通信のための装置。
［Ｃ２８］
前記メッセージ中に含まれる前記複数のパイロットシグナチャインジケータのうちの少なくとも１つは、ワイヤレスネットワークのエリアに関連するいかなるアクセスポイントによってもパイロットスクランブリング使用のために現在割り振られていない少なくとも１つのパイロットシグナチャを示す、Ｃ２７記載の装置。
［Ｃ２９］
前記ハンドオーバコントローラは、さらに、前記ハンドオーバのための前記ターゲットが、前記メッセージ中に含まれる前記複数のパイロットシグナチャインジケータから識別されるべきであると決定し、
前記決定は、前記メッセージ中に含まれる前記複数のパイロットシグナチャインジケータのうちの１つのパイロットシグナチャインジケータの値に基づく、Ｃ２７記載の装置。
［Ｃ３０］
アクセス端末のハンドオーバのためのメッセージを受信する手段と、前記メッセージは複数のパイロットシグナチャインジケータを含み、
複数のアクセスポイントのためのパイロットシグナチャインジケータマッピングを決定する手段と、前記マッピングは、前記複数のアクセスポイントのうちの異なるアクセスポイントを少なくとも２つのパイロットシグナチャインジケータの異なるセットにマッピングし、
前記マッピングと前記メッセージ中に含まれる前記複数のパイロットシグナチャインジケータとに基づいて、前記ハンドオーバのためのターゲットとして前記アクセスポイントのうちの１つを識別する手段と、
を備える通信のための装置。
［Ｃ３１］
前記メッセージ中に含まれる前記複数のパイロットシグナチャインジケータのうちの少なくとも１つは、ワイヤレスネットワークのエリアに関連するいかなるアクセスポイントによってもパイロットスクランブリング使用のために現在割り振られていない少なくとも１つのパイロットシグナチャを示す、Ｃ３０記載の装置。
［Ｃ３２］
前記ハンドオーバのための前記ターゲットは、前記メッセージ中に含まれる前記複数のパイロットシグナチャインジケータから識別されるべきであると決定する手段、をさらに備え、前記決定は、前記メッセージ中に含まれる前記複数のパイロットシグナチャインジケータのうちの１つのパイロットシグナチャインジケータの値に基づく、Ｃ３０記載の装置。
［Ｃ３３］
コンピュータに、
アクセス端末のハンドオーバのためのメッセージを受信することと、前記メッセージは複数のパイロットシグナチャインジケータを含み、
複数のアクセスポイントのためのパイロットシグナチャインジケータマッピングを決定することと、前記マッピングは、前記複数のアクセスポイントのうちの異なるアクセスポイントを少なくとも２つのパイロットシグナチャインジケータの異なるセットにマッピングし、
前記マッピングと前記メッセージ中に含まれる前記複数のパイロットシグナチャインジケータとに基づいて、前記ハンドオーバのためのターゲットとして前記複数のアクセスポイントのうちの１つを識別することと、
を行わせるためのコードを備えるコンピュータ可読媒体を備える、コンピュータプログラム製品。
［Ｃ３４］
前記メッセージ中に含まれる前記複数のパイロットシグナチャインジケータのうちの少なくとも１つは、ワイヤレスネットワークのエリアに関連するいかなるアクセスポイントによってもパイロットスクランブリング使用のために現在割り振られていない少なくとも１つのパイロットシグナチャを示す、Ｃ３３記載のコンピュータプログラム製品。
［Ｃ３５］
前記コンピュータ可読媒体は、前記コンピュータに、前記ハンドオーバのための前記ターゲットが、前記メッセージ中に含まれる前記複数のパイロットシグナチャインジケータから識別されるべきであると決定させるためのコードをさらに備え、
前記決定は、前記メッセージ中に含まれる前記複数のパイロットシグナチャインジケータのうちの１つのパイロットシグナチャインジケータの値に基づく、Ｃ３３記載のコンピュータプログラム製品。
［Ｃ３６］
アクセスポイントのために複数のパイロットシグナチャインジケータを割り振ることと、
前記アクセスポイントに、前記割り振られたパイロットシグナチャインジケータを含むメッセージを送ることと、
を備える通信の方法。
［Ｃ３７］
前記パイロットシグナチャインジケータは擬似ランダム雑音（ＰＮ）オフセット値を備える、Ｃ３６記載の方法。
［Ｃ３８］
前記パイロットシグナチャインジケータは、少なくとも１つの擬似ランダム雑音（ＰＮ）位相値を備える、Ｃ３６記載の方法。
［Ｃ３９］
前記パイロットシグナチャインジケータは、プライマリスクランブリングコード値または物理セル識別子値を備える、Ｃ３６記載の方法。
［Ｃ４０］
前記メッセージは、前記複数のパイロットシグナチャインジケータのうちの少なくとも１つに関連する少なくとも１つのパイロット信号強度指示をさらに含む、Ｃ３６記載の方法。
［Ｃ４１］
前記少なくとも１つのパイロット信号強度指示を定義すること、をさらに備えるＣ４０記載の方法。
［Ｃ４２］
前記複数のパイロットシグナチャインジケータのうちの１つは、パイロット信号を送る前記アクセスポイントのために割り振られる、Ｃ３６記載の方法。
［Ｃ４３］
前記パイロットシグナチャインジケータは、ハンドオーバのための前記アクセスポイントを識別するために割り振られる、Ｃ３６記載の方法。
［Ｃ４４］
２つ以上のパイロットシグナチャインジケータが前記アクセスポイントのために割り振られるべきであると決定すること、をさらに備え、前記決定は前記アクセスポイントのタイプに基づく、Ｃ３６記載の方法。
［Ｃ４５］
前記タイプはフェムトセルタイプを備える、Ｃ４４記載の方法。
［Ｃ４６］
前記複数のパイロットシグナチャインジケータのうちの少なくとも１つは、ワイヤレスネットワークのエリアに関連するいかなるアクセスポイントによってもパイロットスクランブリング使用のために現在割り振られていない少なくとも１つのパイロットシグナチャを示す、Ｃ３６記載の方法。
［Ｃ４７］
利用可能なパイロットシグナチャのセットから非割振りパイロットシグナチャのセットを識別すること、をさらに備え、
前記非割振りパイロットシグナチャのセットは、ワイヤレスネットワークのエリアに関連するいかなるアクセスポイントによってもパイロットスクランブリング使用のために現在割り振られていないパイロットシグナチャを備え、
前記複数のパイロットシグナチャインジケータの前記割振りは、前記非割振りパイロットシグナチャのセットから少なくとも１つのパイロットシグナチャを選択すること、を備える、Ｃ３６記載の方法。
［Ｃ４８］
前記アクセスポイントはフェムトセルを備える、Ｃ３６記載の方法。
［Ｃ４９］
前記メッセージは、アクセスネットワーク、フェムトコンバージェンスサーバ、およびフェムトゲートウェイからなるグループのうちの少なくとも１つにさらに送信される、Ｃ３６記載の方法。
［Ｃ５０］
アクセスポイントのために複数のパイロットシグナチャインジケータを割り振るパイロットプロセッサと、
前記アクセスポイントに、前記割り振られた複数のパイロットシグナチャインジケータを含むメッセージを送る送信機と、
を備える通信のための装置。
［Ｃ５１］
前記メッセージは、前記パイロットシグナチャインジケータのうちの少なくとも１つに関連する少なくとも１つのパイロット信号強度指示をさらに含む、Ｃ５０記載の装置。
［Ｃ５２］
前記パイロットプロセッサは、さらに、２つ以上のパイロットシグナチャインジケータが前記アクセスポイントのために割り振られるべきであると決定し、
前記決定は前記アクセスポイントのタイプに基づく、Ｃ５０記載の装置。
［Ｃ５３］
前記複数のパイロットシグナチャインジケータのうちの少なくとも１つは、ワイヤレスネットワークのエリアに関連するいかなるアクセスポイントによってもパイロットスクランブリング使用のために現在割り振られていない少なくとも１つのパイロットシグナチャを示す、Ｃ５０記載の装置。
［Ｃ５４］
アクセスポイントのために複数のパイロットシグナチャインジケータを割り振る手段と、
前記アクセスポイントに、前記割り振られたパイロットシグナチャインジケータを含むメッセージを送る手段と、
を備える通信のための装置。
［Ｃ５５］
前記メッセージは、前記複数のパイロットシグナチャインジケータのうちの少なくとも１つに関連する少なくとも１つのパイロット信号強度指示をさらに含む、Ｃ５４記載の装置。
［Ｃ５６］
２つ以上のパイロットシグナチャインジケータが前記アクセスポイントのために割り振られるべきであると決定する手段、をさらに備え、前記決定は前記アクセスポイントのタイプに基づく、Ｃ５４記載の装置。
［Ｃ５７］
前記複数のパイロットシグナチャインジケータのうちの少なくとも１つは、ワイヤレスネットワークのエリアに関連するいかなるアクセスポイントによってもパイロットスクランブリング使用のために現在割り振られていない少なくとも１つのパイロットシグナチャを示す、Ｃ５４記載の装置。
［Ｃ５８］
コンピュータに、
アクセスポイントのために複数のパイロットシグナチャインジケータを割り振ることと、
前記アクセスポイントに、前記割り振られたパイロットシグナチャインジケータを含むメッセージを送ることと、
を行わせるためのコードを備えるコンピュータ可読媒体を備える、コンピュータプログラム製品。
［Ｃ５９］
前記メッセージは、前記複数のパイロットシグナチャインジケータのうちの少なくとも１つに関連する少なくとも１つのパイロット信号強度指示をさらに含む、Ｃ５８記載のコンピュータプログラム製品。
［Ｃ６０］
前記コンピュータ可読媒体は、前記コンピュータに、２つ以上のパイロットシグナチャインジケータが前記アクセスポイントのために割り振られるべきであると決定させるためのコードをさらに備え、
前記決定は前記アクセスポイントのタイプに基づく、Ｃ５８記載のコンピュータプログラム製品。
［Ｃ６１］
前記パイロットシグナチャインジケータのうちの少なくとも１つは、ワイヤレスネットワークのエリアに関連するいかなるアクセスポイントによってもパイロットスクランブリング使用のために現在割り振られていない少なくとも１つのパイロットシグナチャを示す、Ｃ５８記載のコンピュータプログラム製品。
【図１】
0005442867.tif 000002
【図２】
0005442867.tif 000003
【図３】
0005442867.tif 000004
【図４】
0005442867.tif 000005
【図５】
0005442867.tif 000006
【図６】
0005442867.tif 000007
【図７】
0005442867.tif 000008
【図８】
0005442867.tif 000009
【図９】
0005442867.tif 000010
【図１０】
0005442867.tif 000011
【図１１】
0005442867.tif 000012
【図１２】
0005442867.tif 000013
【図１３】
0005442867.tif 000014
【図１４】
0005442867.tif 000015
【図１５】
0005442867.tif 000016
【図１６】
0005442867.tif 000017
【図１７】
0005442867.tif 000018
【図１８】
0005442867.tif 000019
【図１９】
0005442867.tif 000020
【図２０】
0005442867.tif 000021
【図２１】
0005442867.tif 000022